(57)【要約】  二元冷凍サイクルが形成されている多熱源の空調給湯システムであって、不使用熱交換器の冷媒を好適に回収して使用熱交換器で利用できる空調給湯システム及び空調給湯システムの制御方法を提供するため、中間熱交換器（２３）を不使用とし空調用熱源側熱交換器（２４）及び給湯用熱源側熱交換器（４４）を使用する第１状態での第１運転と、空調用熱源側熱交換器（２４）及び給湯用熱源側熱交換器（４４）を不使用とし中間熱交換器（２３）を使用する第２状態での第２運転の切り替え時に、中間熱交換器（２３）及び空調用熱源側熱交換器（２４）への空調用冷媒の流入を遮断して空調用圧縮機（２１）で空調用冷媒を回収する空調用冷媒回収運転と、中間熱交換器（２３）及び給湯用熱源側熱交換器（４４）への給湯用冷媒の流入を遮断して給湯用圧縮機（４１）で給湯用冷媒を回収する給湯用冷媒回収運転と、の少なくとも一方が実行される空調給湯システムとする。
2012114462.tif 000002
【特許請求の範囲】
【請求項１】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備え、
前記制御装置は、
前記空調サイクルでの冷房運転と、前記給湯サイクルでの給湯運転と、を同時に実行する場合に、
前記中間熱交換器を不使用として前記空調用熱源側熱交換器及び前記給湯用熱源側熱交換器を使用する第１状態で実行する第１運転と、
前記空調用熱源側熱交換器及び前記給湯用熱源側熱交換器を不使用として前記中間熱交換器を使用する第２状態で実行する第２運転と、を所定の条件に基づいて切り替えるように制御する空調給湯システムであって、
前記制御装置は、
前記第１運転と前記第２運転の切り替え時に、
空調用冷媒遮断手段によって、前記中間熱交換器及び前記空調用熱源側熱交換器への前記空調用冷媒の流入を遮断するとともに、前記空調用冷媒回路に備わる空調用圧縮機を運転して前記中間熱交換器及び前記空調用熱源側熱交換器から前記空調用冷媒を回収する空調用冷媒回収運転と、
給湯用冷媒遮断手段によって、前記中間熱交換器及び前記給湯用熱源側熱交換器への前記給湯用冷媒の流入を遮断するとともに、前記給湯用冷媒回路に備わる給湯用圧縮機を運転して前記中間熱交換器及び前記給湯用熱源側熱交換器から前記給湯用冷媒を回収する給湯用冷媒回収運転と、の少なくとも一方を実行することを特徴とする空調給湯システム。
【請求項２】
前記空調サイクルでの冷房運転時に前記空調用熱源側熱交換器への前記空調用冷媒の入口となる第１空調用冷媒入口、前記冷房運転時に前記空調用熱源側熱交換器からの前記空調用冷媒の出口となる第１空調用冷媒出口、前記冷房運転時に前記中間熱交換器への前記空調用冷媒の入口となる第２空調用冷媒入口、及び前記冷房運転時に前記中間熱交換器からの前記空調用冷媒の出口となる第２空調用冷媒出口の温度を測定する空調用温度測定手段を備え、
前記制御装置は、前記空調用冷媒回収運転を実行する場合、
前記第１空調用冷媒入口と前記第１空調用冷媒出口の温度差と、前記第２空調用冷媒入口と前記第２空調用冷媒出口の温度差と、の少なくとも一方、
または、前記第１空調用冷媒入口の温度上昇率と、前記第１空調用冷媒出口の温度上昇率と、前記第２空調用冷媒入口の温度上昇率と、前記第２空調用冷媒出口の温度上昇率と、のうちの少なくとも１つ、
に基づいて前記空調用冷媒回収運転の終了を決定することを特徴とする請求の範囲第１項に記載の空調給湯システム。
【請求項３】
前記空調サイクルでの冷房運転時に前記空調用熱源側熱交換器への前記空調用冷媒の入口となる第１空調用冷媒入口、前記冷房運転時に前記空調用熱源側熱交換器からの前記空調用冷媒の出口となる第１空調用冷媒出口、前記冷房運転時に前記中間熱交換器への前記空調用冷媒の入口となる第２空調用冷媒入口、及び前記冷房運転時に前記中間熱交換器からの前記空調用冷媒の出口となる第２空調用冷媒出口の温度を測定する空調用温度測定手段と、外気温度を測定する外気温度測定手段と、を備え、
前記制御装置は、前記空調用冷媒回収運転を実行する場合、
前記第１空調用冷媒入口の温度と外気温度の温度差と、前記第１空調用冷媒出口の温度と外気温度の温度差と、前記第２空調用冷媒入口の温度と外気温度の温度差と、前記第２空調用冷媒出口の温度と外気温度の温度差と、のうちの少なくとも１つに基づいて前記空調用冷媒回収運転の終了を決定することを特徴とする請求の範囲第１項に記載の空調給湯システム。
【請求項４】
前記給湯サイクルでの給湯運転時に前記給湯用熱源側熱交換器への前記給湯用冷媒の入口となる第１給湯用冷媒入口、前記給湯運転時に前記給湯用熱源側熱交換器からの前記給湯用冷媒の出口となる第１給湯用冷媒出口、前記給湯運転時に前記中間熱交換器への前記給湯用冷媒の入口となる第２給湯用冷媒入口、及び前記給湯運転時に前記中間熱交換器からの前記給湯用冷媒の出口となる第２給湯用冷媒出口の温度を測定する給湯用温度測定手段を備え、
前記制御装置は、前記給湯用冷媒回収運転を実行する場合、
前記第１給湯用冷媒入口と前記第１給湯用冷媒出口の温度差と、前記第２給湯用冷媒入口と前記第２給湯用冷媒出口の温度差と、の少なくとも一方、
または、前記第１給湯用冷媒入口の温度上昇率と、前記第１給湯用冷媒出口の温度上昇率と、前記第２給湯用冷媒入口の温度上昇率と、前記第２給湯用冷媒出口の温度上昇率と、のうちの少なくとも１つ、
に基づいて前記給湯用冷媒回収運転の終了を決定することを特徴とする請求の範囲第１項乃至請求の範囲第３項のいずれか１項に記載の空調給湯システム。
【請求項５】
前記給湯サイクルでの給湯運転時に前記給湯用熱源側熱交換器への前記給湯用冷媒の入口となる第１給湯用冷媒入口、前記給湯運転時に前記給湯用熱源側熱交換器からの前記給湯用冷媒の出口となる第１給湯用冷媒出口、前記給湯運転時に前記中間熱交換器への前記給湯用冷媒の入口となる第２給湯用冷媒入口、及び前記給湯運転時に前記中間熱交換器からの前記給湯用冷媒の出口となる第２給湯用冷媒出口の温度を測定する給湯用温度測定手段と、外気温度を測定する外気温度測定手段と、を備え、
前記制御装置は、前記給湯用冷媒回収運転を実行する場合、
前記第１給湯用冷媒入口の温度と外気温度の温度差と、前記第１給湯用冷媒出口の温度と外気温度の温度差と、前記第２給湯用冷媒入口の温度と外気温度の温度差と、前記第２給湯用冷媒出口の温度と外気温度の温度差と、のうちの少なくとも１つに基づいて前記給湯用冷媒回収運転の終了を決定することを特徴とする請求の範囲第１項乃至請求の範囲第３項のいずれか１項に記載の空調給湯システム。
【請求項６】
前記制御装置は、
前記空調サイクルでの冷房運転と、前記給湯サイクルでの給湯運転と、を同時に実行する場合に、前記空調用冷媒回路における空調放熱量と前記給湯用冷媒回路における給湯吸熱量とを演算し、
前記空調放熱量と前記給湯吸熱量が等しいときは、前記第２状態で前記第２運転を実行して、前記中間熱交換器で前記給湯用冷媒と前記空調用冷媒との間で熱交換し、
前記空調放熱量と前記給湯吸熱量が等しくないときは、前記第１状態で前記第１運転を実行して、前記空調用熱源側熱交換器で大気と前記空調用冷媒との間で熱交換するとともに、前記給湯用熱源側熱交換器で大気と前記給湯用冷媒との間で熱交換することを特徴とする請求の範囲第１項乃至請求の範囲第３項のいずれか１項に記載の空調給湯システム。
【請求項７】
前記制御装置は、
前記空調サイクルでの冷房運転と、前記給湯サイクルでの給湯運転と、を同時に実行する場合に、前記空調用冷媒回路における空調放熱量と前記給湯用冷媒回路における給湯吸熱量とを演算し、
前記空調放熱量と前記給湯吸熱量が等しいときは、前記第２状態で前記第２運転を実行して、前記中間熱交換器で前記給湯用冷媒と前記空調用冷媒との間で熱交換し、
前記空調放熱量と前記給湯吸熱量が等しくないときは、前記第１状態で前記第１運転を実行して、前記空調用熱源側熱交換器で大気と前記空調用冷媒との間で熱交換するとともに、前記給湯用熱源側熱交換器で大気と前記給湯用冷媒との間で熱交換することを特徴とする請求の範囲第４項に記載の空調給湯システム。
【請求項８】
前記制御装置は、
前記空調サイクルでの冷房運転と、前記給湯サイクルでの給湯運転と、を同時に実行する場合に、前記空調用冷媒回路における空調放熱量と前記給湯用冷媒回路における給湯吸熱量とを演算し、
前記空調放熱量と前記給湯吸熱量が等しいときは、前記第２状態で前記第２運転を実行して、前記中間熱交換器で前記給湯用冷媒と前記空調用冷媒との間で熱交換し、
前記空調放熱量と前記給湯吸熱量が等しくないときは、前記第１状態で前記第１運転を実行して、前記空調用熱源側熱交換器で大気と前記空調用冷媒との間で熱交換するとともに、前記給湯用熱源側熱交換器で大気と前記給湯用冷媒との間で熱交換することを特徴とする請求の範囲第５項に記載の空調給湯システム。
【請求項９】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムの制御方法であって、
前記制御装置が、前記空調サイクルでの冷房運転と、前記給湯サイクルでの給湯運転と、を同時に実行する場合に、
前記空調用冷媒回路における空調放熱量と、前記給湯用冷媒回路における給湯吸熱量を演算するステップと、
前記空調放熱量と前記給湯吸熱量を比較するステップと、
前記空調放熱量と前記給湯量が等しくないときに、前記中間熱交換器を不使用として前記空調用熱源側熱交換器及び前記給湯用熱源側熱交換器を使用する第１状態で第１運転を実行するステップと、
前記空調放熱量と前記給湯量が等しいときに、前記空調用熱源側熱交換器及び前記給湯用熱源側熱交換器を不使用として前記中間熱交換器を使用する第２状態で第２運転を実行するステップとを、有し、
さらに、前記第１運転と前記第２運転の切り替え時に、
空調用冷媒遮断手段で前記中間熱交換器及び前記空調用熱源側熱交換器への前記空調用冷媒の流入を遮断するステップ、及び前記空調用冷媒回路に備わる空調用圧縮機を運転して前記中間熱交換器及び前記空調用熱源側熱交換器から前記空調用冷媒を回収するステップを含んでなる空調用冷媒回収運転と、
給湯用冷媒遮断手段で前記中間熱交換器及び前記給湯用熱源側熱交換器への前記給湯用冷媒の流入を遮断するステップ、及び前記給湯用冷媒回路に備わる給湯用圧縮機を運転して前記中間熱交換器及び前記給湯用熱源側熱交換器から前記給湯用冷媒を回収するステップを含んでなる給湯用冷媒回収運転と、
の少なくとも一方を実行するステップを有することを特徴とする空調給湯システムの制御方法。
【発明の詳細な説明】
【技術分野】
【０００１】
本発明は、空調用冷媒回路と給湯用冷媒回路が、中間熱交換器を介して互いに熱交換可能に接続されて空調サイクルと給湯サイクルの二元冷凍サイクルが形成されている多熱源の空調給湯システム及び空調給湯システムの制御方法に関する。
【背景技術】
【０００２】
空調用冷媒回路と給湯用冷媒回路が、中間熱交換器を介して互いに熱交換可能に接続されて、空調サイクルと給湯サイクルを備える多熱源の空調給湯システムは、多くの熱源と熱交換するため、従来のルームエアコンやヒートポンプ給湯機よりも多くの熱交換器を備えて構成される。
このような空調給湯システムには、空調サイクルの空調運転（冷房運転、暖房運転）と給湯サイクルの給湯運転をそれぞれ単独で運転する単独運転と、空調サイクルの空調運転（冷房運転）で発生する排熱を給湯サイクルの給湯運転に利用する排熱回収運転とで使用される熱交換器（使用熱交換器）が切り替えられるように構成されたものがある。
しかしながら、このような空調給湯システムは多くの熱交換器を備えるため、必要となる冷媒の量（冷媒封入量）が増える場合がある。
冷媒は地球温暖化を促進する物質の１つであるため冷媒封入量の増量は好ましくなく、冷媒封入量の削減が求められている。【０００３】
例えば、特許文献１には、停止している室内機（熱交換器）から冷媒を回収できるマルチエアコンシステムが開示されている。
特許文献１に開示されるマルチエアコンシステムは、複数の室内機（熱交換器）を備えて構成される。そして、停止している室内機に対応する冷媒流量調整弁の弁開度を、当該室内機の設定馬力に応じた弁開度に所定時間に亘って設定し、所定時間経過後は流量調整弁の弁開度を元に戻す。この構成によって、停止している室内機に貯まっている冷媒を回収できる。そして、停止している室内機から回収した冷媒を運転している室内機の冷媒として利用することで冷媒封入量を削減できる。
したがって、特許文献１に開示される技術を多熱源の空調給湯システムに適用すると、使用しない熱交換器（不使用熱交換器）から冷媒を回収して使用する熱交換器（使用熱交換器）に流通させることができ、冷媒封入量を削減できる。
【先行技術文献】
【特許文献】
【０００４】
【特許文献１】特開平２−１３７６０号公報
【発明の概要】
【発明が解決しようとする課題】
【０００５】
ところで、空調サイクルと給湯サイクルを備える多熱源の空調給湯システムは、利用する熱源の状態に応じて単独運転と排熱回収運転が切り替わり、それに応じて不使用熱交換器と使用熱交換器が切り替わるため、不使用熱交換器と使用熱交換器が頻繁に切り替えられる場合がある。例えば、熱源が空調装置の排熱の場合は空調装置に要求される空調能力の変化に応じて単独運転と排熱回収運転が切り替わる。また、熱源として太陽熱を利用する場合は日射量の変化に応じて単独運転と排熱回収運転が切り替わる。このように、単独運転と排熱回収運転が頻繁に切り替わる場合、不使用熱交換器から冷媒を回収する運転（冷媒回収運転）が速やかに終了されることが要求される。また、頻繁に冷媒回収運転が実行されることになるため、冷媒回収運転が空調給湯システムに与える負荷を軽減することが要求される。
しかしながら、特許文献１に開示されるマルチエアコンシステムは、冷媒が回収されたことを判定することなく、所定時間に亘って流量調整弁の弁開度を大きくしている。このため、不使用熱交換器から冷媒が回収されたことを速やかに判定できず、冷媒回収運転が速やかに終了できないという問題がある。【０００６】
多熱源の空調給湯システムの各サイクル（空調サイクル、給湯サイクル）には複数の熱交換器が並列に配設されている。そして、各熱交換器は異なる熱源と熱交換するように構成されるため、冷媒は各熱交換器で異なった温度の熱源と熱交換する。例えば、使用時に蒸発器として動作する不使用熱交換器が接している熱源の温度が、稼動しているもう一方の使用熱交換器（蒸発器）の熱源の温度より低い場合に、不使用熱交換器に冷媒を貯留させると、冷媒と熱源との温度差は、不使用熱交換器のほうが使用熱交換器よりも小さくなり、不使用熱交換器に貯留される冷媒の蒸発（気化）が促進されなくなる。結果として、より多くの冷媒が不使用熱交換器に貯留されることになり、当該サイクルにおける冷媒流量が不足してサイクルの動作に不具合を生じさせる。
特許文献１に開示されるマルチエアコンシステムは、複数の熱交換器の熱源が全て同じ（大気）であって熱交換器間での吸熱量の違いによって生じる圧力は小さい。このため、使用熱交換器の稼働中に不使用熱交換器の冷媒を回収するように構成されており、各熱交換器が接する熱源間の温度差を考慮しない制御となっている。
この点を鑑みると、多熱源の空調給湯システムの冷媒回収に、特許文献１に開示される技術をそのまま適用することは困難である。【０００７】
そこで本発明は、二元冷凍サイクルが形成されている多熱源の空調給湯システムであって、不使用熱交換器の冷媒を好適に回収して使用熱交換器で利用できる空調給湯システム及び空調給湯システムの制御方法を提供することを課題とする。
【課題を解決するための手段】
【０００８】
前記課題を解決するため本発明は、空調用冷媒が循環して空調サイクルを形成する空調用冷媒回路と、給湯用冷媒が循環して給湯サイクルを形成する給湯用冷媒回路と、制御装置とを備えるとともに、前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器とを備え、前記制御装置は、前記空調サイクルでの冷房運転と、前記給湯サイクルでの給湯運転とを同時に実行する場合に、前記中間熱交換器を不使用として前記空調用熱源側熱交換器及び前記給湯用熱源側熱交換器を使用して運転する第１運転と、前記中間熱交換器を使用して前記空調用熱源側熱交換器及び前記給湯用熱源側熱交換器の使用と不使用を運転状態に応じて選択して運転する第２運転とを、所定の条件に基づいて切り替えるように制御する空調給湯システムとする。そして、前記制御装置は、前記第１運転と前記第２運転の切り替え時に、空調用冷媒遮断手段によって、前記中間熱交換器及び前記空調用熱源側熱交換器への前記空調用冷媒の流入を遮断するとともに、前記空調用冷媒回路に備わる空調用圧縮機を運転して前記中間熱交換器及び前記空調用熱源側熱交換器から前記空調用冷媒を回収する空調用冷媒回収運転と、給湯用冷媒遮断手段によって、前記中間熱交換器及び前記給湯用熱源側熱交換器への前記給湯用冷媒の流入を遮断するとともに、前記給湯用冷媒回路に備わる給湯用圧縮機を運転して前記中間熱交換器及び前記給湯用熱源側熱交換器から前記給湯用冷媒を回収する給湯用冷媒回収運転と、の少なくとも一方を実行することを特徴とする。
【発明の効果】
【０００９】
本発明によると、二元冷凍サイクルによって形成される多熱源の空調給湯システムであって、空調用冷媒回路および給湯用冷媒回路の循環冷媒量を好適な状態に保持して運転する空調給湯システムの制御方法を提供できる。
【図面の簡単な説明】
【００１０】
【図１】本実施形態に係る空調給湯システムの系統図である。
【図２】空調給湯システムの運転モードを示す図である。
【図３】冷房・給湯単独運転時の空調給湯システムを示す図である。
【図４】排熱回収運転時の空調給湯システムを示す図である。
【図５】冷房・給湯単独運転の手順を示すフローチャートである。
【図６】（ａ）は第１空調用冷媒回収運転の手順を示すフローチャート、（ｂ）は第１給湯用冷媒回収運転の手順を示すフローチャートである。
【図７】排熱回収運転の手順を示すフローチャートである。
【図８】（ａ）は第２空調用冷媒回収運転の手順を示すフローチャート、（ｂ）は第２給湯用冷媒回収運転の手順を示すフローチャートである。
【発明を実施するための形態】
【００１１】
以下、本発明の実施形態について、適宜図を参照して詳細に説明する。
図１に示すように、本実施形態に係る空調給湯システム１００は、空調用圧縮機２１を駆動して冷房運転と暖房運転とを切り替えて運転を行う空調用冷媒回路５と、給湯用圧縮機４１を駆動して給湯運転を行う給湯用冷媒回路６と、空調用冷媒回路５と熱交換して、住宅６０の室内の空調を行う空調用冷温水循環回路８と、給湯用冷媒回路６と熱交換して給湯を行う給湯流路９と、各運転を制御する制御装置１ａとを備え、空調用冷媒回路５と給湯用冷媒回路６とを中間熱交換器２３を介して熱的に接続させて、二元冷凍サイクルを構築するシステムである。
以下、冷房運転及び暖房運転とは、空調用冷媒回路５を含んで構成される空調サイクルの冷房運転及び暖房運転を示す。また、給湯運転とは給湯用冷媒回路６を含んで構成される給湯サイクルの給湯運転を示す。
【００１２】
この空調給湯システム１００は、住宅６０の屋外に配置されるヒートポンプユニット１と室内に配置される室内ユニット２を含んで構成される。
ヒートポンプユニット１には、空調用冷媒回路５、給湯用冷媒回路６、空調用冷温水循環回路８、給湯流路９、及び制御装置１ａが組み込まれている。
また、室内ユニット２には、住宅６０の室内空気と空調用冷温水循環回路８を流れる冷温水との間で熱交換を行う室内熱交換器６１が備わっている。
【００１３】
空調用冷媒回路５は、空調用の冷媒（以下空調用冷媒）が循環することによって冷凍サイクル（空調サイクル）が形成される回路であり、空調用冷媒を圧縮する空調用圧縮機２１、空調用冷媒の流路を切り替える四方弁（空調用流路切替弁）２２、給湯用冷媒回路６を循環する冷媒（以下給湯用冷媒）と空調用冷媒との間で熱交換を行う中間熱交換器２３、空調用冷媒タンク２６、空調用冷媒を減圧する空調用膨張弁２７、及び空調用冷温水循環回路８を循環する空調用冷温水と空調用冷媒回路５を循環する空調用冷媒との間で熱交換を行う空調用利用側熱交換器２８が冷媒配管で環状に接続された空調用冷媒メイン回路５ａに、空調用室外ファン２５によって送風される大気と空調用冷媒との間で熱交換を行う空調用熱源側熱交換器２４が接続された構成となっている。
【００１４】
なお、図１では、空調用冷媒回路５を循環する空調用冷媒と空調用冷温水循環回路８を循環する空調用冷温水が熱交換し、空調用冷温水と住宅６０の室内空気が室内熱交換器６１で熱交換する構成としたが、空調用冷温水循環回路８を備えず、空調用冷媒と住宅６０の室内空気が直接熱交換する構成であってもよい。
【００１５】
空調用冷媒回路５をより詳細に説明すると、空調用熱源側熱交換器２４は、空調用冷媒メイン回路５ａの四方弁２２と空調用膨張弁２７との間に設けられており、四方弁２２と空調用膨張弁２７に対して、中間熱交換器２３が並列になるように接続されている。
空調用熱源側熱交換器２４の出入口には、それぞれ空調用冷媒の流量を制御する第１制御弁３５ｃ、及び第２制御弁３５ｄが空調熱交換器用制御弁として配設されている。
なお、第１制御弁３５ｃ及び第２制御弁３５ｄは、閉弁したときに空調用冷媒の流通を遮断し、空調用熱源側熱交換器２４への空調用冷媒の流入を遮断するように構成されていることが好ましい。
符号２４ａは、冷房運転時に空調用熱源側熱交換器２４への空調用冷媒の入口となる冷房時空調用冷媒入口（第１空調用冷媒入口）、符号２４ｂは、冷房運転時に空調用熱源側熱交換器２４からの空調用冷媒の出口となる冷房時空調用冷媒出口（第１空調用冷媒出口）を示す。
因みに、空調サイクルでの暖房運転時は、空調用熱源側熱交換器２４における空調用冷媒の出入口は逆になる。
具体的には、空調サイクルでの暖房運転時、空調用熱源側熱交換器２４では冷房時空調用冷媒出口２４ｂが空調用冷媒の入口となり、冷房時空調用冷媒入口２４ａが空調用冷媒の出口となる。
なお、空調用冷媒回路５を循環する空調用冷媒には、Ｒ４１０ａ、Ｒ１３４ａ、ＨＦＯ１２３４ｙｆ、ＨＦＯ１２３４ｚｅ、ＣＯ２、プロパンの中から使用条件に適した冷媒が用いられる。
【００１６】
次に、前記した空調用冷媒回路５に備わる各機器について説明する。
空調用圧縮機２１は、容量制御が可能な可変容量型の圧縮機が好ましい。このような圧縮機として、ピストン式、ロータリー式、スクロール式、スクリュー式、遠心式のものが採用可能である。
【００１７】
空調用利用側熱交換器２８には、図示しないが、空調用冷媒が流通する空調用伝熱管と水もしくはブライン等の不凍液（空調用利用側の熱搬送媒体）が流れる空調用冷温水伝熱管とが熱的に接触するように構成されたものや、プレート式熱交換器等が利用可能である。
空調用冷媒タンク２６は、空調用冷媒回路５の流路の切替によって変化する空調用冷媒の循環量を調整する受液器として機能する。
空調用膨張弁２７は、減圧装置として作用するとともに、閉弁したときに空調用冷媒の流通を遮断する空調用冷媒遮断手段としても機能し、中間熱交換器２３及び空調用熱源側熱交換器２４への空調用冷媒の流入（具体的には、後記する冷房時空調用冷媒出口２３ｂ，２４ｂからの空調用冷媒の流入）を遮断するように構成されていることが好ましい。
【００１８】
空調用冷温水循環回路８は、空調用冷媒回路５を循環する冷媒と熱交換する水（空調用利用側の熱搬送媒体）が流通する回路であり、四方弁５３と空調用冷温水循環ポンプ５２と住宅６０に設置された室内熱交換器６１とを、開閉弁５４ａを有する空調用冷温水配管５５ａで接続し、室内熱交換器６１と四方弁５３とを、開閉弁５４ｂを有する空調用冷温水配管５５ｂで接続し、四方弁５３と空調用利用側熱交換器２８とを空調用冷温水配管５５ｃで接続して、環状に形成された回路である。この空調用冷温水循環回路８内を流れる水（冷水又は温水）は、室内熱交換器６１を介して住宅６０の室内空気と熱交換し、住宅６０内を冷房又は暖房する。ここで、空調用冷温水循環回路８内を流れる空調用利用側の熱搬送媒体として、水の代わりにエチレングリコールなどのブラインを用いてもよい。ブラインを用いると寒冷地でも適用できる。
【００１９】
なお、以下の説明において、空調用冷温水循環回路８を流通する水として「冷水」又は「温水」という語を使用するが、「冷水」は、冷房運転時に空調用冷温水循環回路８を流通する水を示し、「温水」は暖房運転時に空調用冷温水循環回路８を流通する水を示す。
【００２０】
給湯用冷媒回路６は、給湯用冷媒が循環することによって冷凍サイクル（給湯サイクル）を形成する回路であって、給湯用冷媒を圧縮する給湯用圧縮機４１、給湯流路９を流通する水（給湯）と給湯用冷媒との間で熱交換を行う給湯用利用側熱交換器４２、給湯用冷媒の量を調整する受液器として機能する給湯用冷媒タンク４６、給湯用冷媒を減圧する給湯用膨張弁４３、及び空調用冷媒回路５を循環する空調用冷媒と給湯用冷媒との間で熱交換を行う中間熱交換器２３を冷媒配管で環状に接続した給湯用冷媒メイン回路６ａに、給湯用室外ファン４５によって送風される大気と給湯用冷媒との間で熱交換を行う給湯用熱源側熱交換器４４が接続された構成となっている。
【００２１】
給湯用冷媒回路６をより詳細に説明すると、給湯用熱源側熱交換器４４は、給湯用冷媒メイン回路６ａの給湯用膨張弁４３と給湯用圧縮機４１の間の位置に、中間熱交換器２３と並列になるように冷媒配管によって接続され、給湯用熱源側熱交換器４４の出入口には、それぞれ給湯用冷媒の流量を制御する第３制御弁４９ａ及び第４制御弁４９ｃが給湯熱交換器用制御弁として配設されている。
なお、第３制御弁４９ａ及び第４制御弁４９ｃは、閉弁したときに給湯用冷媒の流通を遮断し、給湯用熱源側熱交換器４４への給湯用冷媒の流入を遮断するように構成されていることが好ましい。
さらに、給湯用膨張弁４３は、閉弁したときに給湯用冷媒の流通を遮断する給湯用冷媒遮断手段として機能し、中間熱交換器２３及び給湯用熱源側熱交換器４４への給湯用冷媒の流入（具体的には、後記する給湯用冷媒入口２３ｃ，４４ａからの給湯用冷媒の流入）を遮断するように構成されていることが好ましい。
本実施形態において、給湯用熱源側熱交換器４４にはフィンチューブ式熱交換器が用いられている。また、符号４４ａは給湯用冷媒入口（第１給湯用冷媒入口）、符号４４ｂは給湯用冷媒出口（第１給湯用冷媒出口）を示す。
なお、給湯用冷媒回路６を循環する給湯用冷媒には、Ｒ４１０ａ、Ｒ１３４ａ、ＨＦＯ１２３４ｙｆ、ＨＦＯ１２３４ｚｅ、ＣＯ２、プロパンの中から使用条件に適した冷媒が用いられる。
【００２２】
次に、前記した給湯用冷媒回路６に備わる各機器について説明する。
給湯用圧縮機４１は、空調用圧縮機２１と同様にインバータ制御によって容量制御が可能で、低速から高速まで回転速度が可変であることが好ましい。
給湯用利用側熱交換器４２は、図示しないが、給湯流路９に供給される水が流通する給湯用水伝熱管と、給湯用冷媒が流通する給湯用冷媒伝熱管とが熱的に接触するように構成されたものが利用可能である。
給湯用膨張弁４３は、弁開度の調整によって給湯用冷媒の圧力を所定の圧力まで減圧することができる。
【００２３】
中間熱交換器２３の出入口には、それぞれ開閉弁３５ａ，３５ｂが空調熱交換器用開閉弁として備わっている。
なお、中間熱交換器２３の符号２３ａは、冷房運転時に空調用冷媒の入口となる冷房時空調用冷媒入口（第２空調用冷媒入口）、符号２３ｂは、冷房運転時に空調用冷媒の出口となる冷房時空調用冷媒出口（第２空調用冷媒出口）を示す。
また、中間熱交換器２３において、給湯運転時に給湯用冷媒の入口となる給湯用冷媒入口（第２給湯用冷媒入口）２３ｃに開閉弁４９ｂが配設され、給湯用冷媒の出口となる給湯用冷媒出口（第２給湯用冷媒出口）２３ｄに開閉弁４９ｄが配設される。
因みに、空調サイクルでの暖房運転時は、中間熱交換器２３における空調用冷媒の出入口は逆になる。
具体的に、空調サイクルでの暖房運転時、中間熱交換器２３では冷房時空調用冷媒出口２３ｃが空調用冷媒の入口となり、冷房時空調用冷媒入口２３ｄが空調用冷媒の出口となる。
【００２４】
給湯流路９は、給湯用利用側の熱搬送媒体としての水が流通する流路であり、給湯用利用側熱交換器４２の水側入口４２ａと給水口７８を給湯用配管７２で接続し、給湯用利用側熱交換器４２の水側出口４２ｂと給湯口７９を給湯用配管７３で接続して形成された流路である。給湯用配管７３には、貯湯タンク７０が備わり、給水口７８から供給された水は、給湯用利用側熱交換器４２で給湯用冷媒と熱交換して加熱され、湯になった後に貯湯タンク７０に貯湯される。
そして、貯湯タンク７０に貯湯された湯は、給湯口７９から給湯負荷側（浴槽、洗面所、台所等）へ給湯される。また、貯湯タンク７０の底部には、ドレン配管７１ａとドレン弁７１ｂが設けられている。ドレン弁７１ｂは通常は閉弁しており、制御装置１ａからの指令に基づいて開弁し、貯湯タンク７０内に貯湯されている湯がドレン配管７１ａを流通して外部に排出されるように構成される。なお、給湯流路９には、水や湯の流量を検知する流量センサ（図示せず）が備わっている。
【００２５】
また、本実施形態に係る空調給湯システム１００は、複数の温度センサＴＨ１〜ＴＨ２３を備えている。具体的に、給湯流路９を流通する水や湯の温度を測定するため、給湯用利用側熱交換器４２の水側入口４２ａに温度センサＴＨ２が備わり、さらに、給水口７８に温度センサＴＨ１がそれぞれ備わっている。
また、空調用冷温水循環回路８を流通する冷温水の温度を測定するため、暖房運転時における空調用利用側熱交換器２８の水の入口（暖房時水側入口２８ａ）に温度センサＴＨ４が、暖房運転時における空調用利用側熱交換器２８の水の出口（暖房時水側出口２８ｂ）に温度センサＴＨ３が、室内熱交換器６１の冷媒出口６１ｂに温度センサＴＨ５が、それぞれ備わっている。なお、符号６１ａは、室内熱交換器６１の冷媒入口である。
【００２６】
また、給湯用冷媒回路６を流通する給湯用冷媒の温度を測定するために、給湯用圧縮機４１の吸込口４１ａと吐出口４１ｂに温度センサＴＨ６、ＴＨ７がそれぞれ備わり、給湯用膨張弁４３の出口に温度センサＴＨ８が備わっている。さらに、給湯用熱源側熱交換器４４の給湯用冷媒入口４４ａに温度センサＴＨ２２（給湯用温度測定手段）、給湯用冷媒出口４４ｂに温度センサＴＨ９（給湯用温度測定手段）、中間熱交換器２３の給湯用冷媒入口２３ｃに温度センサＴＨ２３（給湯用温度測定手段）、給湯用冷媒出口２３ｄに温度センサＴＨ１０（給湯用温度測定手段）がそれぞれ備わっている。
給湯用温度測定手段である温度センサＴＨ９、ＴＨ１０、ＴＨ２２、及びＴＨ２３は、例えば、冷媒配管の外壁面に取り付けられるように配設されるサーミスタであり、冷媒配管内の給湯用冷媒の温度を冷媒配管を介して測定する。そして、温度センサＴＨ９が測定する温度を給湯用冷媒出口４４ｂの温度、温度センサＴＨ２２が測定する温度を給湯用冷媒入口４４ａの温度、温度センサＴＨ１０が測定する温度を給湯用冷媒出口２３ｄの温度、温度センサＴＨ２３が測定する温度を給湯用冷媒入口２３ｃの温度とする。
【００２７】
また、空調用冷媒回路５を流通する空調用冷媒の温度を測定するために、空調用圧縮機２１の吸込口２１ａと吐出口２１ｂに温度センサＴＨ１１、ＴＨ１２がそれぞれ備わり、中間熱交換器２３の冷房時空調用冷媒入口２３ａに温度センサＴＨ１３（空調用温度測定手段）、冷房時空調用冷媒出口２３ｂに温度センサＴＨ１４（空調用温度測定手段）がそれぞれ備わっている。さらに、冷房運転時における空調用膨張弁２７の出口に温度センサＴＨ１７、空調用熱源側熱交換器２４の冷房時空調用冷媒入口２４ａに温度センサＴＨ１５（空調用温度測定手段）、冷房時空調用冷媒出口２４ｂに温度センサＴＨ１６（空調用温度測定手段）、冷房運転時における空調用利用側熱交換器２８の空調用冷媒出口となる冷房時空調用冷媒出口２８ｄに温度センサＴＨ１８が、それぞれ備わっている。
空調用温度測定手段である温度センサＴＨ１３、ＴＨ１４、ＴＨ１５、及びＴＨ１６は、例えば、冷媒配管の外壁面に取り付けられるように配設されるサーミスタであり、冷媒配管内の空調用冷媒の温度を冷媒配管を介して測定する。そして、温度センサＴＨ１３が測定する温度を冷房時空調用冷媒入口２３ａの温度、温度センサＴＨ１４が測定する温度を冷房時空調用冷媒出口２３ｂの温度、温度センサＴＨ１５が測定する温度を冷房時空調用冷媒入口２４ａの温度、温度センサＴＨ１６が測定する温度を冷房時空調用冷媒出口２４ｂの温度とする。
なお、符号２８ｃは、冷房運転時に空調用利用側熱交換器２８への空調用冷媒の入口となる冷房時空調用冷媒入口を示す。
【００２８】
また、本実施形態に係る空調給湯システム１００には、外気温度を測定する外気温度測定手段としての温度センサＴＨ１９、住宅６０の室内温度を測定する温度センサＴＨ２０、及び貯湯タンク７０内に貯湯された湯の温度を測定する温度センサＴＨ２１も備わっている。
【００２９】
さらに、空調用圧縮機２１には回転速度を検出する回転速度検知センサＲＡが備わり、給湯用圧縮機４１には回転速度を検出する回転速度検知センサＲＨが備わっている。
また、空調用膨張弁２７には弁開度を検出する弁開度検知センサＰＡが備わり、給湯用膨張弁４３には弁開度を検出する弁開度検知センサＰＨが備わっている。
【００３０】
制御装置１ａは、リモコン（図示せず）からの指令信号、温度センサＴＨ１〜ＴＨ２３、回転速度検知センサＲＡ，ＲＨ、弁開度検知センサＰＡ，ＰＨからの検知信号が入力されるように構成される。そして、制御装置１ａは、これらの入力信号に基づいて空調用圧縮機２１及び給湯用圧縮機４１の運転や停止、四方弁２２や５３の切替え、空調用膨張弁２７及び給湯用膨張弁４３弁開度の設定、第１制御弁３５ｃ、第２制御弁３５ｄ、第３制御弁４９ａ、第４制御弁４９ｃの弁開度の設定、空調用冷温水循環ポンプ５２の駆動や停止、開閉弁３５ａ，３５ｂ，４９ｂ，４９ｄ，５４ａ，５４ｂの開閉、その他の空調給湯システム１００の運転に必要な制御を実行する。
【００３１】
例えば、本実施形態に係る空調給湯システム１００では、空調サイクルの冷房運転と、給湯サイクルの給湯運転を単独で行う「冷房・給湯単独運転（第１運転）」と、中間熱交換器２３を介して空調用冷媒回路５を流通する空調用冷媒と給湯用冷媒回路６を流通する給湯用冷媒とで熱交換を行いながら、空調サイクルの冷房運転と給湯サイクルの給湯運転を行う「排熱回収運転（第２運転）」が可能である。
【００３２】
冷房・給湯単独運転（第１運転）時、空調給湯システム１００は図２に示す「冷房・給湯単独運転モード」に設定される。すなわち、給湯サイクルにおいて、給湯用圧縮機４１が運転され、給湯用利用側熱交換器４２が凝結器として使用され、給湯用熱源側熱交換器４４が蒸発器として使用され、中間熱交換器２３は不使用とされる。空調サイクルでは、空調用圧縮機２１が運転され、空調用利用側熱交換器２８が蒸発器として使用され、空調用熱源側熱交換器２４が凝縮器として使用され、中間熱交換器２３は不使用とされる。そして「冷房・給湯単独運転モード」に設定された空調給湯システム１００の状態を第１状態と称する。
このように空調給湯システム１００が「冷房・給湯単独運転モード」に設定され、空調給湯システム１００が第１状態になると、中間熱交換器２３が使用されない熱交換器（以下、不使用熱交換器）となり、その他の熱交換器（給湯用利用側熱交換器４２、給湯用熱源側熱交換器４４、空調用利用側熱交換器２８、及び空調用熱源側熱交換器２４）が使用される熱交換器（以下、使用熱交換器）となる。
【００３３】
一方、排熱回収運転（第２運転）時、空調給湯システム１００は、図２に示す「排熱回収運転モード」に設定される。すなわち、給湯サイクルにおいて給湯用圧縮機４１が運転され、給湯用利用側熱交換器４２が凝縮器として使用され、給湯用熱源側熱交換器４４は不使用とされ、中間熱交換器２３が蒸発器として使用される。空調サイクルでは、空調用圧縮機２１が運転され、空調用利用側熱交換器２８が蒸発器として使用され、空調用熱源側熱交換器２４は不使用とされ、中間熱交換器２３が凝縮器として使用される。そして「排熱回収運転モード」に設定された空調給湯システム１００の状態を第２状態と称する。
このように空調給湯システム１００が「排熱回収運転モード」に設定され、空調給湯システム１００が第２状態になると、空調用熱源側熱交換器２４、及び給湯用熱源側熱交換器４４が不使用熱交換器となり、その他の熱交換器（中間熱交換器２３、給湯用利用側熱交換器４２、及び空調用利用側熱交換器２８）が使用熱交換器となる。
以上のように、「冷房・給湯単独運転モード」に設定された第１状態は、空調給湯システム１００が冷房・給湯単独運転（第１運転）するための状態であり、「排熱回収運転モード」に設定された第２状態は、空調給湯システム１００が排熱回収運転（第２運転）するための状態である。
【００３４】
図３及び図４を参照して、冷房・給湯単独運転及び排熱回収運転における冷媒（空調用冷媒、給湯用冷媒）の流れ及び空調用冷温水循環回路８を流通する水（熱搬送媒体）の流れを説明する。
なお、図３、図４において、熱交換器（中間熱交換器２３、空調用利用側熱交換器２８、空調用熱源側熱交換器２４、給湯用利用側熱交換器４２、給湯用熱源側熱交換器４４）に付された太矢印は熱の流れを示しており、各回路（空調用冷媒回路５、給湯用冷媒回路６、空調用冷温水循環回路８、給湯流路９）に付された矢印は、冷媒（空調用冷媒、給湯用冷媒）または流体（水、湯）が各回路を流通する方向を示している。また、白色の開閉弁（３５ａ，３５ｂ，４９ｂ，４９ｄ）及び白色の流量制御弁（第１制御弁３５ｃ、第２制御弁３５ｄ、第３制御弁４９ａ、第４制御弁４９ｃ）は開弁した状態、黒色の開閉弁及び黒色の流量制御弁は閉弁した状態を示している。また、四方弁（２２，５３）においては、実線で示された円弧が冷媒及び流体の流路を示している。また、室外ファン（空調用室外ファン２５、給湯用室外ファン４５）は、白色の場合は運転中であることを示し、黒色の場合は停止中であることを示している。そして、破線で示される熱交換器（中間熱交換器２３、空調用熱源側熱交換器２４、給湯用熱源側熱交換器４４）は、不使用の熱交換器、すなわち、冷媒が流通しない熱交換器（不使用熱交換器）を示し、実線で示される熱交換器は使用される熱交換器、すなわち、冷媒が流通する熱交換器（使用熱交換器）を示している。
【００３５】
図３を参照して、冷房・給湯単独運転における冷媒（空調用冷媒、給湯用冷媒）の流れ及び空調用冷温水循環回路８を流通する水（熱搬送媒体）の流れについて説明する。
空調給湯システム１００を冷房・給湯単独運転するとき制御装置１ａは、空調給湯システム１００を「冷房・給湯単独運転モード」に設定して第１状態とする。すなわち、制御装置１ａは、空調用圧縮機２１の吐出口２１ｂから吐出された高温高圧のガス冷媒が空調用熱源側熱交換器２４に流入するとともに、空調用利用側熱交換器２８を流通した空調用冷媒が空調用圧縮機２１の吸込口２１ａに流入するように四方弁２２を切り替える。
さらに、制御装置１ａは、第１制御弁３５ｃ及び第２制御弁３５ｄを開弁するとともに空調用室外ファン２５を運転し、第３制御弁４９ａ及び第４制御弁４９ｃを開弁するとともに給湯用室外ファン４５を運転する。
また、制御装置１ａは、開閉弁３５ａ，３５ｂ，４９ｂ，４９ｄを閉弁する。
このように、冷房・給湯単独運転は、第１状態で実行される。
なお、「冷房・給湯単独運転モード」では、空調熱交換器用開閉弁である開閉弁３５ａ，３５ｂが閉弁することによって中間熱交換器２３への空調用冷媒の流入が遮断され、給湯熱交換器用開閉弁である開閉弁４９ｂ，４９ｄが閉弁することによって中間熱交換器２３への給湯用冷媒の流入が遮断されて、中間熱交換器２３を不使用とすることができる。
さらに、空調熱交換器用制御弁である第１制御弁３５ｃ及び第２制御弁３５ｄが開弁することによって空調用熱源側熱交換器２４を使用することができ、給湯熱交換器用制御弁である第３制御弁４９ａ及び第４制御弁４９ｃが開弁することによって給湯用熱源側熱交換器４４を使用することができる。
中間熱交換器２３を不使用とするとき、制御装置１ａは冷媒（空調用冷媒、給湯用冷媒）を中間熱交換器２３から回収するが、冷媒の回収についての詳細は後記する。
【００３６】
空調用圧縮機２１から吐出された高温高圧のガス冷媒は、四方弁２２を通って空調用熱源側熱交換器２４に流入する。空調用熱源側熱交換器２４内を流れる高温高圧のガス冷媒は、空調用室外ファン２５から送られてくる大気へ放熱して凝縮し、液化する。この高圧の液冷媒は、空調用冷媒タンク２６を流れた後に所定の開度に調節された空調用膨張弁２７で減圧、膨張し、低温低圧の気液二相冷媒となり、空調用利用側熱交換器２８に流入する。空調用利用側熱交換器２８内を流れる気液二相冷媒は、空調用冷温水循環回路８内を流れる相対的に高温の冷水から吸熱して蒸発し、低圧のガス冷媒となる。この低圧のガス冷媒は、四方弁２２を通って空調用圧縮機２１の吸込口２１ａに流入し、空調用圧縮機２１により再び圧縮されて高温高圧のガス冷媒となる。
【００３７】
空調用冷温水循環回路８では、空調用利用側熱交換器２８を流れる空調用冷媒に放熱した冷水が、空調用冷温水循環ポンプ５２によって空調用冷温水配管５５ａを流通し、室内熱交換器６１に流入する。室内熱交換器６１では、空調用冷温水循環回路８内の冷水と、住宅６０内の高温の空気とで熱交換が行われ、住宅６０の空気が冷却される。つまり、住宅６０内の室内が冷房される。このとき、室内熱交換器６１を流通する冷水は、住宅６０内の空気から吸熱して昇温される。この昇温された冷水は、空調用冷温水循環ポンプ５２によって空調用冷温水配管５５ｂ，５５ｃを流れ、再び空調用利用側熱交換器２８を流通する間に空調用冷媒回路５を流通する空調用冷媒と熱交換して冷却される。
【００３８】
一方、給湯用冷媒回路６では、給湯用圧縮機４１で圧縮され高温高圧となったガス冷媒は、給湯用利用側熱交換器４２に流入する。給湯用利用側熱交換器４２内を流通する高温高圧のガス冷媒は、給湯流路９内を流通する水へ放熱して凝縮し、液化する。そして、液化した高圧の液冷媒は、給湯用冷媒タンク４６を流通した後に所定の開度に調整された給湯用膨張弁４３で減圧、膨張し、低温低圧の気液二相冷媒となる。この気液二相冷媒は、給湯用熱源側熱交換器４４を流通する間に、給湯用室外ファン４５によって送られてくる大気から吸熱して蒸発し、低圧のガス冷媒となる。この低圧のガス冷媒は、給湯用圧縮機４１の吸込口４１ａに流入し、給湯用圧縮機４１によって再び圧縮されて高温高圧のガス冷媒となる。
【００３９】
給湯流路９では、吸水口７８に流入した水は、給湯用配管７２内を流通して給湯用利用側熱交換器４２に導かれる。給湯用利用側熱交換器４２に流入した水は、給湯用利用側熱交換器４２で給湯用冷媒回路６を流通する給湯用冷媒から吸熱して、高温の水（湯）となる。この湯は、給湯用配管７３を流通して貯湯タンク７０に貯湯され、利用者の要求に応じて給湯口７９から給湯される。
この「冷房・給湯単独運転モード」では、開閉弁３５ａ，３５ｂ，４９ｂ，４９ｄが閉弁し、中間熱交換器２３に冷媒（空調用冷媒、給湯用冷媒）が流入する流路が閉鎖され、空調用冷媒と給湯用冷媒の間で熱交換は行われない。
【００４０】
次に、図４を参照して、排熱回収運転における冷媒（空調用冷媒、給湯用冷媒）の流れ及び空調用冷温水循環回路８を流通する水（熱搬送媒体）の流れについて説明する。
空調給湯システム１００を排熱回収運転するとき制御装置１ａは、空調給湯システム１００を「排熱回収運転モード」に設定して第２状態とする。すなわち、制御装置１ａは、空調用圧縮機２１の吐出口２１ｂから吐出された高温高圧のガス冷媒が中間熱交換器２３に流入するとともに、空調用利用側熱交換器２８を流通した空調用冷媒が空調用圧縮機２１の吸込口２１ａに流入するように四方弁２２を切り替える。
さらに、制御装置１ａは、第１制御弁３５ｃ及び第２制御弁３５ｄを閉弁するとともに空調用室外ファン２５を停止し、第３制御弁４９ａ及び第４制御弁４９ｃを閉弁するとともに給湯用室外ファン４５を停止する。
さらに、制御装置１ａは、開閉弁３５ａ，３５ｂ，４９ｂ，４９ｄを開弁する。
このように、排熱回収運転は、第２状態で実行される。
なお、「排熱回収運転モード」では、空調熱交換器用開閉弁である開閉弁３５ａ，３５ｂが開弁することによって中間熱交換器２３へ空調用冷媒が流入可能となり、給湯熱交換器用開閉弁である開閉弁４９ｂ，４９ｄが開弁することによって中間熱交換器２３へ給湯用冷媒が流入可能になって、中間熱交換器２３を使用することができる。
さらに、空調熱交換器用制御弁である第１制御弁３５ｃ及び第２制御弁３５ｄが閉弁することによって空調用熱源側熱交換器２４への空調用冷媒の流入が遮断されて空調用熱源側熱交換器２４を不使用とすることができ、給湯熱交換器用制御弁である第３制御弁４９ａ及び第４制御弁４９ｃが閉弁することによって給湯用熱源側熱交換器４４への給湯用冷媒の流入が遮断されて給湯用熱源側熱交換器４４を不使用とすることができる。
空調用熱源側熱交換器２４及び給湯用熱源側熱交換器４４を不使用とするとき、制御装置１ａは冷媒（空調用冷媒、給湯用冷媒）を各熱交換器から回収するが、冷媒の回収についての詳細は後記する。
【００４１】
空調用圧縮機２１から吐出された高温高圧のガス冷媒は中間熱交換器２３に流入し、低温の給湯用冷媒へ放熱して凝縮して液化する。この高圧の液冷媒は、空調用タンク２６を流れた後に所定の開度で開弁している空調用膨張弁２７で減圧、膨張し、低温低圧の気液二相冷媒となり、空調用利用側熱交換器２８に流入する。空調用利用側熱交換器２８内を流れる気液二相冷媒は、空調用冷温水循環回路８を流通する相対的に高温の冷水から吸熱して蒸発し、低圧のガス冷媒となる。この低圧のガス冷媒は四方弁２２を経由して空調用圧縮機２１の吸込口２１ａに流入し、空調用圧縮機２１によって再度圧縮されて高温高圧のガス冷媒となる。
【００４２】
空調用冷温水循環回路８では、空調用利用側熱交換器２８を流れる空調用冷媒に放熱した冷水が空調用冷温水循環ポンプ５２によって空調用冷温水配管５５ａを流通し、室内熱交換器６１に流入する。室内熱交換器６１では、空調用冷温水循環回路８内の冷水と住宅６０の室内の高温の空気とで熱交換が行われ、住宅６０の空気が冷却される。つまり、住宅６０の室内が冷房される。このとき、室内熱交換器６１を流れる冷水は、住宅６０の室内の空気から吸熱して昇温する。この昇温された冷水は空調用冷温水ポンプ５２によって空調用冷温水配管５５ｂ，５５ｃを流通し、再度、空調用利用側熱交換器２８で空調用冷媒に放熱して冷却される。
【００４３】
給湯用冷媒回路６では、給湯用圧縮機４１で圧縮され高温高圧となったガス冷媒が給湯用利用側熱交換器４２に流入する。給湯用利用側熱交換器４２内を流れる高温高圧のガス冷媒は、給湯流路９内を流れる水に放熱して凝縮し、液化する。そして、液化した高圧の液冷媒は、給湯用冷媒タンク４６を流れた後に所定の開度で開弁している給湯用膨張弁４３で減圧、膨張して低温低圧の気液二相冷媒となる。この気液二相冷媒は、中間熱交換器２３を流れる間に、中間熱交換器２３を流れる高温の空調用冷媒から吸熱して蒸発し、低圧のガス冷媒となる。この低圧のガス冷媒は、給湯用圧縮機４１の吸込口４１ａに流入し、給湯用圧縮機４１によって再度圧縮されて高温高圧のガス冷媒となる。
【００４４】
給湯流路９では、給水口７８に流入した水が給湯用配管７２内を流通して給湯用利用側熱交換器４２に流入する。そして、給湯用利用側熱交換器４２で、給湯用冷媒回路６を流通する給湯用冷媒から吸熱して、高温の水（湯）となる。この湯は、給湯用配管７３を流通して貯湯タンク７０に貯湯され、利用者の要求に応じて給湯口７９から給湯される。
【００４５】
以上のように、本実施形態に係る制御装置１ａは、冷房・給湯単独運転と排熱回収運転を適宜切り替え可能に構成される。
なお、本実施形態において、制御装置１ａは、給湯サイクルでの給湯運転と、空調サイクルでの冷房運転と、を同時に実行する場合、給湯用配管７２を流通する水が必要とする熱量（この熱量は給湯用冷媒回路６の吸熱量に相当し、以下、給湯吸熱量と称する）と、空調用冷媒回路５を流通する空調用冷媒からの放熱量（この熱量は空調用冷媒回路５の放熱量に相当し、以下、空調放熱量と称する）と、が等しいとき排熱回収運転を実行し、給湯吸熱量と空調放熱量が等しくないとき冷房・給湯単独運転を実行する。
換言すると、本実施形態に係る制御装置１ａは、給湯吸熱量と空調放熱量の大きさを所定の条件として、排熱回収運転と冷房・給湯単独運転を切り替える。
【００４６】
そして、冷房・給湯単独運転のとき、給湯用冷媒回路６の給湯用冷媒は、給湯用熱源側熱交換器４４のみを流通し、排熱回収運転のとき、給湯用冷媒回路６の給湯用冷媒は、中間熱交換器２３のみを流通する。つまり、冷房・給湯単独運転時、給湯用冷媒は中間熱交換器２３を流通せず、排熱回収運転時、給湯用冷媒は給湯用熱源側熱交換器４４を流通しない。したがって、給湯用冷媒回路６においては、冷房・給湯単独運転時は中間熱交換器２３を流通する流量に相当する給湯用冷媒が余剰になり、排熱回収運転時は給湯用熱源側熱交換器４４を流通する流量に相当する給湯用冷媒が余剰になる。
同様に、空調用冷媒回路５においては、冷房・給湯単独運転時は中間熱交換器２３を流通する流量に相当する空調用冷媒が余剰になり、排熱回収運転時は空調用熱源側熱交換器２４を流通する流量に相当する空調用冷媒が余剰になる。
【００４７】
そこで、冷房・給湯単独運転から排熱回収運転に切り替わるとき、冷房・給湯単独運転時に給湯用熱源側熱交換器４４を流通する給湯用冷媒を一時回収し、回収した給湯用冷媒を排熱回収運転時に中間熱交換器２３に流通させることによって、給湯用冷媒回路６における給湯用冷媒の封入量を適正な値にして運転することができる。
同様に、冷房・給湯単独運転から排熱回収運転に切り替わるとき、冷房・給湯単独運転時に空調用熱源側熱交換器２４を流通する空調用冷媒を一時回収し、回収した空調用冷媒を、排熱回収運転時に中間熱交換器２３に流通させることによって、空調用冷媒回路５における空調用冷媒の封入量を適正な値にして運転することができる。
この場合、排熱回収運転から冷房・給湯単独運転に切り替わるときは、排熱回収運転時に中間熱交換器２３を流通する給湯用冷媒を一時回収し、回収した給湯用冷媒を冷房・給湯単独運転時に給湯用熱源側熱交換器４４に流通させるとともに、排熱回収運転時に中間熱交換器２３を流通する空調用冷媒を一時回収し、回収した空調用冷媒を冷房・給湯単独運転時に空調用熱源側熱交換器２４に流通させる構成とすればよい。
【００４８】
図５〜８を参照して、本実施形態に係る制御装置１ａが、空調給湯システム１００の冷房・給湯単独運転と排熱回収運転を切り替えるときの手順を説明する（適宜図１〜４参照）。
制御装置１ａは、例えば、利用者が操作するリモコン（図示せず）からの指令信号によって、給湯運転時に冷房運転を開始すると、図５に示すように、冷房・給湯単独運転を実行する。制御装置１ａは、冷房・給湯単独運転をスタートすると、中間熱交換器２３の出入口（冷房時空調用冷媒入口２３ａ、冷房時空調用冷媒出口２３ｂ、給湯用冷媒入口２３ｃ、給湯用冷媒出口２３ｄ）に配設される開閉弁３５ａ，３５ｂ，４９ｂ，４９ｄの全てを閉弁し、さらに、空調用熱源側熱交換器２４の出入口（冷房時空調用冷媒入口２４ａ、冷房時空調用冷媒出口２４ｂ）に配設される第１制御弁３５ｃ及び第２制御弁３５ｄ、給湯用熱源側熱交換器４４の出入口（給湯用冷媒入口４４ａ、給湯用冷媒出口４４ｂ）に配設される第３制御弁４９ａ及び第４制御弁４９ｃを開弁する。また、空調用圧縮機２１の吐出口２１ｂから吐出された空調用冷媒が空調用熱源側熱交換器２４に流入するとともに、空調用利用側熱交換器２８を流通した空調用冷媒が空調用圧縮機２１の吸込口２１ａに流入するように四方弁２２を切り替える（ステップＳ１）。そして、各種データの受信処理を行う（ステップＳ２）。具体的に、制御装置１ａは、給湯サイクルにおける目標湯温（沸き上げ温度）、目標湯量（流量）、及び給水口７８から給水される水の水温（給水温度）を示すデータを受信する。また、空調サイクルにおける目標温度（設定室温）、目標風量、及び室内温度を示すデータを受信する。
給湯サイクルの目標湯温及び目標湯量を示すデータは、利用者が操作するリモコンから制御装置１ａに入力されるデータであり、給水温度を示すデータは温度センサＴＨ１から入力されるデータである。
また、空調サイクルの目標温度及び目標風量を示すデータは、利用者が操作するリモコンから制御装置１ａに入力されるデータであり、室内温度を示すデータは温度センサＴＨ２０から入力されるデータである。
【００４９】
制御装置１ａは、ステップＳ２で受信した各データに基づいた演算処理を実行する（ステップＳ３）。具体的に制御装置１ａは、給湯サイクルにおける目標給湯能力「Ｑｈ」、給湯用圧縮機４１の目標回転速度、給湯用圧縮機４１の目標吐出温度「Ｔｄ」、及び給湯用圧縮機４１の入力「Ｗｈｃｏｍｐ」を演算する。
さらに、制御装置１ａは、空調サイクルにおける目標空調能力「Ｑｃ」、空調用圧縮機２１の目標回転速度、空調用冷媒の目標蒸発温度「Ｔｅ」、及び空調用圧縮機２１の入力「Ｗｃｃｏｍｐ」を演算する。
さらに、制御装置１ａは、給湯サイクルの目標給湯能力「Ｑｈ」と給湯用圧縮機４１の入力「Ｗｈｃｏｍｐ」との差から給湯吸熱量を演算するとともに、空調サイクルの目標空調能力「Ｑｃ」と空調用圧縮機２１の入力「Ｗｃｃｏｍｐ」との和から空調放熱量を演算する（ステップＳ４）。
【００５０】
そして、制御装置１ａは、ステップＳ３での演算結果に従って給湯サイクル及び空調サイクルを運転する。具体的に制御装置１ａは、給湯サイクルにおいて、ステップＳ３で演算した目標回転速度で給湯用圧縮機４１を運転し、空調サイクルにおいて、ステップＳ３で演算した目標回転速度で空調用圧縮機２１を運転する。さらに、制御装置１ａは、給湯サイクルにおける給湯用冷媒の吐出温度が目標吐出温度「Ｔｄ」となるように給湯用膨張弁４３の弁開度と給湯用室外ファン４５の回転速度を設定し、空調サイクルにおける空調用冷媒の蒸発温度が目標蒸発温度「Ｔｅ」となるように空調用膨張弁２７の弁開度と空調用室外ファン２５の回転速度を設定する（ステップＳ５）。
例えば、目標吐出温度と給湯用膨張弁４３の弁開度と給湯用室外ファン４５の回転速度の関係を示すマップを予め決定し、制御装置１ａが、演算した目標吐出温度「Ｔｄ」に基づいて当該マップを参照することによって給湯用膨張弁４３の弁開度と給湯用室外ファン４５の回転速度を設定する構成とすればよい。
また、目標蒸発温度と空調用膨張弁２７の弁開度と空調用室外ファン２５の回転速度の関係を示すマップを予め決定し、制御装置１ａが、演算した目標蒸発温度「Ｔｅ」に基づいて当該マップを参照することによって空調用膨張弁２７の弁開度と空調用室外ファン２５の回転速度を設定する構成とすればよい。
【００５１】
そして、制御装置１ａは、ステップＳ４で演算した給湯吸熱量と空調放熱量を比較し（ステップＳ６）、給湯吸熱量と空調放熱量が等しいか否かを判定する。なお、ステップＳ６において制御装置１ａは、給湯吸熱量と空調放熱量の差が予め設定される範囲内にあるときに、給湯吸熱量と空調放熱量が等しいと判定する。
そして、給湯吸熱量と空調放熱量が等しくないときは（ステップＳ６→Ｎｏ）、手順をステップＳ２に戻して、冷房・給湯単独運転を継続する。
一方、給湯吸熱量と空調放熱量が等しいとき（ステップＳ６→Ｙｅｓ）、制御装置１ａは排熱回収運転に切り替える。
このとき、本実施形態の制御装置１ａは、手順をステップＳ７に進めて冷媒回収運転（第１冷媒回収運転）を実行した後に、空調給湯システム１００を排熱回収運転に切り替えるように構成される。
ここでの冷媒回収運転（第１冷媒回収運転）は、空調給湯システム１００が「冷房・給湯単独運転モード」に設定されて、第１状態で冷房・給湯単独運転（第１運転）されるときに、空調用熱源側熱交換器２４を流通する空調用冷媒を一時回収し、回収した空調用冷媒を中間熱交換器２３に流通させるための空調用冷媒回収運転（第１空調用冷媒回収運転）と、冷房・給湯単独運転時に給湯用熱源側熱交換器４４を流通する給湯用冷媒を一時回収し、回収した給湯用冷媒を中間熱交換器２３に流通させるための給湯用冷媒回収運転（第１給湯用冷媒回収運転）と、を含んでいる。図６を参照して、第１冷媒回収運転（第１空調用冷媒回収運転、第１給湯用冷媒回収運転）の手順を説明する。
なお、第１冷媒回収運転時は、空調サイクルにおける第１空調用冷媒回収運転と、給湯サイクルにおける第１給湯用冷媒回収運転が同時に実行され、第１空調用冷媒回収運転と第１給湯用冷媒回収運転が共に終了したときに、制御装置１ａは、第１冷媒回収運転が終了したとする。
【００５２】
図６の（ａ）は、第１空調用冷媒回収運転の手順を示している。すなわち、図５のステップＳ７での手順のうち、空調サイクルにおける具体的な手順を示している。第１空調用冷媒回収運転を開始すると、制御装置１ａは、空調用膨張弁２７を閉弁し、中間熱交換器２３の冷房時空調用冷媒入口２３ａに配設される開閉弁３５ａを開弁する。さらに、制御装置１ａは、中間熱交換器２３又は空調用熱源側熱交換器２４を流通した空調用冷媒が空調用圧縮機２１の吸込口２１ａに流入するように四方弁２２を切り替える（ステップＳ７０１ａ）。このとき、空調用熱源側熱交換器２４の冷房時空調用冷媒入口２４ａに配設される第１制御弁３５ｃ及び冷房時空調用冷媒出口２４ｂに配設される第２制御弁３５ｄは開弁した状態にある。したがって、空調用熱源側熱交換器２４は、液体の空調用冷媒が封じられる状態（液封）になることがない。また、空調用膨張弁２７の閉弁によって、空調用熱源側熱交換器２４の冷房時空調用冷媒出口２４ｂ及び中間熱交換器２３の冷房時空調用冷媒出口２３ｂへの空調用冷媒の流入が遮断される。なお、ステップＳ７０１ａは、制御装置１ａが空調用膨張弁２７の替わりに第２制御弁３５ｄを閉弁する構成であってもよい。この構成であっても、空調用熱源側熱交換器２４の冷房時空調用冷媒出口２４ｂ及び中間熱交換器２３の冷房時空調用冷媒出口２３ｂへの空調用冷媒の流入を遮断できる。
また、四方弁２２の切り替えと、開閉弁３５ａ及び第１制御弁３５ｃの開弁によって、中間熱交換器２３の冷房時空調用冷媒入口２３ａ及び空調用熱源側熱交換器２４の冷房時空調用冷媒入口２４ａと、空調用圧縮機２１の吸込口２１ａとを、連通させることができ、中間熱交換器２３及び空調用熱源側熱交換器２４に残存する空調用冷媒を空調用圧縮機２１で吸引できる。
【００５３】
そして、制御装置１ａは空調用圧縮機２１の運転（空調用冷媒の圧縮）を継続し、空調用熱源側熱交換器２４の冷房時空調用冷媒入口２４ａの温度と、冷房時空調用冷媒出口２４ｂの温度を演算する（ステップＳ７０２ａ）。
具体的に、制御装置１ａは、空調用熱源側熱交換器２４の冷房時空調用冷媒入口２４ａに備わる温度センサＴＨ１５から受信するデータに基づいて、冷房時空調用冷媒入口２４ａの温度を演算し、空調用熱源側熱交換器２４の冷房時空調用冷媒出口２４ｂ側に備わる温度センサＴＨ１６から受信するデータに基づいて、冷房時空調用冷媒出口２４ｂの温度を演算する。
冷房・給湯単独運転時の空調用熱源側熱交換器２４において、冷房時空調用冷媒入口２４ａには外気温度より高温のガス冷媒が存在するため、冷房時空調用冷媒入口２４ａの温度は外気温度より高くなる。また冷房時空調用冷媒出口２４ｂには大気に放熱して液化した液冷媒が存在するため、冷房時空調用冷媒出口２４ｂの温度は外気温度に近い温度となる。このように、冷房・給湯単独運転時は、冷房時空調用冷媒入口２４ａと冷房時空調用冷媒出口２４ｂに温度差が生じる。
この状態で空調用圧縮機２１が運転されることによって、空調用熱源側熱交換器２４内から空調用冷媒回収されると、冷房時空調用冷媒入口２４ａは高温の空調用冷媒が無くなり、冷房時空調用冷媒入口２４ａの温度は外気温度に近くなる。同様に、冷房時空調用冷媒出口２４ｂは空調用冷媒がなくなり、冷房時空調用冷媒出口２４ｂの温度は外気温度に近くなる。したがって、冷房時空調用冷媒入口２４ａと冷房時空調用冷媒出口２４ｂの温度差が無くなる。
【００５４】
そこで、制御装置１ａは、冷房時空調用冷媒入口２４ａと冷房時空調用冷媒出口２４ｂの温度差が所定温度差（例えば、５℃）以下になるまで待機し（ステップＳ７０３ａ→Ｎｏ）、冷房時空調用冷媒入口２４ａと冷房時空調用冷媒出口２４ｂの温度差が前記した所定温度差以下になったとき（ステップＳ７０３ａ→Ｙｅｓ）、空調用熱源側熱交換器２４内から空調用冷媒が回収されたと判定し、第１空調用冷媒回収運転の終了を決定する。そして、制御装置１ａは、第１制御弁３５ｃ及び第２制御弁３５ｄを閉弁する。
ここでいう所定温度差は、空調用熱源側熱交換器２４から空調用冷媒が回収されたとみなせる温度差であって前記した５℃に限定される値ではなく、空調用熱源側熱交換器２４に残留した空調用冷媒の相変化に起因する温度差ではないと判断できる値であればよい。
第１制御弁３５ｃ及び第２制御弁３５ｄの閉弁によって、空調用熱源側熱交換器２４への空調用冷媒の流入が遮断された状態が維持される。
さらに、空調用圧縮機２１の吐出口２１ｂから吐出された高温高圧のガス冷媒が中間熱交換器２３に流入するとともに、空調用利用側熱交換器２８を流通した空調用冷媒が空調用圧縮機２１の吸込口２１ａに流入するように四方弁２２を切り替える。そして、空調用膨張弁２７を開弁する（ステップＳ７０４ａ）。
以上のステップＳ７０１ａからステップＳ７０４ａの手順で、空調用冷媒回路５における空調用冷媒が空調用熱源側熱交換器２４から回収される。
【００５５】
また、図６の（ｂ）は、第１給湯用冷媒回収運転の手順を示している。すなわち、図５のステップＳ７での手順のうち、給湯サイクルにおける具体的な手順を示している。第１給湯用冷媒回収運転を開始すると、制御装置１ａは、給湯用膨張弁４３を閉弁し、中間熱交換器２３の給湯用冷媒出口２３ｄに配設される開閉弁４９ｄを開弁する（ステップＳ７０１ｂ）。このとき、給湯用熱源側熱交換器４４の給湯用冷媒入口４４ａに配設される第３制御弁４９ａ及び給湯用冷媒出口４４ｂに配設される第４制御弁４９ｃは開弁した状態にある。したがって、給湯用熱源側熱交換器４４は、液体の給湯用冷媒が封じられる状態（液封）になることがない。また、給湯用膨張弁４３の閉弁によって、給湯用熱源側熱交換器４４の給湯用冷媒入口４４ａ及び中間熱交換器２３の給湯用冷媒入口２３ｃへの給湯用冷媒の流入が遮断される。なお、ステップＳ７０１ｂは、制御装置１ａが給湯用膨張弁４３の替わりに第３制御弁４９ａを閉弁する構成であってもよい。この構成であっても、給湯用熱源側熱交換器４４の給湯用冷媒入口４４ａ及び中間熱交換器２３の給湯用冷媒入口２３ｃへの給湯用冷媒の流入を遮断できる。
また、開閉弁４９ｄ及び第４制御弁４９ｃの開弁によって、中間熱交換器２３の給湯用冷媒出口２３ｄ及び給湯用熱源側熱交換器４４の給湯用冷媒出口４４ｂと、給湯用圧縮機４１の吸込口４１ａと、を連通させることができ、中間熱交換器２３及び給湯用熱源側熱交換器４４に残存する給湯用冷媒を給湯用圧縮機４１で吸引できる。
【００５６】
そして、制御装置１ａは給湯用圧縮機４１の運転（給湯用冷媒の圧縮）を継続し、給湯用熱源側熱交換器４４の給湯用冷媒入口４４ａの温度と、給湯用冷媒出口４４ｂの温度を演算する（ステップＳ７０２ｂ）。
具体的に、制御装置１ａは、給湯用熱源側熱交換器４４の給湯用冷媒入口４４ａ側に備わる温度センサＴＨ２２から受信するデータに基づいて、給湯用冷媒入口４４ａの温度を演算し、給湯用熱源側熱交換器４４の給湯用冷媒出口４４ｂに備わる温度センサＴＨ９から受信するデータに基づいて、給湯用冷媒出口４４ｂの温度を演算する。
冷房・給湯単独運転時の給湯用熱源側熱交換器４４において、給湯用冷媒入口４４ａには外気温度より低温の気液二相冷媒が存在するため、給湯用冷媒入口４４ａの温度は外気温度より低くなる。また給湯用冷媒出口４４ｂには大気から吸熱して気化したガス冷媒が存在するため、給湯用冷媒出口４４ｂの温度は外気温度に近い温度となる。このように、冷房・給湯単独運転時は、給湯用冷媒入口４４ａと給湯用冷媒出口４４ｂに温度差が生じる。
この状態で給湯用圧縮機４１が運転されて、給湯用熱源側熱交換器４４内から給湯用冷媒が回収されると、給湯用冷媒入口４４ａは低温の給湯用冷媒が無くなり、給湯用冷媒入口４４ａの温度は外気温度に近くなる。同様に、給湯用冷媒出口４４ｂは給湯用冷媒がなくなり、給湯用冷媒出口４４ｂの温度は外気温度に近くなる。したがって、給湯用冷媒入口４４ａと給湯用冷媒出口４４ｂの温度差が無くなる。
【００５７】
そこで、制御装置１ａは、給湯用冷媒入口４４ａと給湯用冷媒出口４４ｂの温度差が所定温度差（例えば、５℃）以下になるまで待機し（ステップＳ７０３ｂ→Ｎｏ）、給湯用冷媒入口４４ａと給湯用冷媒出口４４ｂの温度差が前記した所定温度差以下になったとき（ステップＳ７０３ｂ→Ｙｅｓ）、給湯用熱源側熱交換器４４内から給湯用冷媒が回収されたと判定し、第１給湯用冷媒回収運転の終了を決定する。ここでいう所定温度差は、給湯用熱源側熱交換器４４から給湯用冷媒が回収されたとみなせる温度差であって前記した５℃に限定される値ではなく、給湯用熱源側熱交換器４４に残留した給湯用冷媒の相変化に起因する温度差ではないと判断できる値であればよい。例えば事前の実験計測等によって予め設定される温度差であることが好ましい。そして、制御装置１ａは、第３制御弁４９ａ及び第４制御弁４９ｃを閉弁し、さらに、給湯用膨張弁４３を開弁する（ステップＳ７０４ｂ）。
第３制御弁４９ａ及び第４制御弁４９ｃの閉弁によって、給湯用熱源側熱交換器４４への給湯用冷媒の流入が遮断された状態が維持される。
以上のステップＳ７０１ｂからステップＳ７０４ｂの手順で、給湯用冷媒回路６における給湯用冷媒が給湯用熱源側熱交換器４４から回収される。
そして制御装置１ａは、第１空調用冷媒回収運転と第１給湯用冷媒回収運転がともに終了したとき、図５のステップＳ７に示す第１冷媒回収運転を終了して、手順を図５のステップＳ８に進め、排熱回収運転を実行する。
【００５８】
図７を参照して、本実施形態に係る排熱回収運転の手順（図５におけるステップＳ８の具体的な手順）を説明する。
なお、中間熱交換器２３の冷房時空調用冷媒入口２３ａに配設される開閉弁３５ａ、及び冷房時空調用冷媒出口２３ｂに配設される開閉弁３５ｂは、第１冷媒回収運転によって開弁している。
排熱回収運転をスタートすると制御装置１ａは、各種データの受信処理を行う（ステップＳ８０１）。具体的に、制御装置１ａは、給湯サイクルにおける目標湯温（沸き上げ温度）、目標湯量（流量）、及び給水口７８から給水される水の水温（給水温度）を示すデータを受信する。また、空調サイクルにおける目標温度（設定室温）、目標風量、及び室内温度を示すデータを受信する。この処理は、図５のステップＳ２と同等の処理である。
制御装置１ａは、ステップＳ８０１で受信した各データに基づいた演算処理を実行する（ステップＳ８０２）。具体的に制御装置１ａは、給湯サイクルにおける目標給湯能力「Ｑｈ」、給湯用圧縮機４１の目標回転速度、給湯用圧縮機４１の目標吐出温度「Ｔｄ」、及び給湯用圧縮機４１の入力「Ｗｈｃｏｍｐ」を演算する。
さらに、制御装置１ａは、空調サイクルにおける目標空調能力「Ｑｃ」、空調用圧縮機２１の目標回転速度、空調用冷媒の目標蒸発温度「Ｔｅ」、及び空調用圧縮機２１の入力「Ｗｃｃｏｍｐ」を演算する。この処理は、図５のステップＳ３と同等の処理である。
そして、制御装置１ａは給湯用室外ファン４５を停止する（ステップＳ８０３）。さらに、空調用室外ファン２５を停止する（ステップＳ８０４）。
つまり、制御装置１ａは、冷房運転される空調サイクルの空調用冷媒回路５を流通する空調用冷媒と給湯運転される給湯サイクルの給湯用冷媒回路６を流通する給湯用冷媒が中間熱交換器２３で熱交換するように、空調給湯システム１００を図２に示す「排熱回収運転モード」に設定して第２状態とする。
【００５９】
そして、制御装置１ａは、ステップＳ８０２での演算結果に従って給湯サイクル及び空調サイクルを運転する。具体的に制御装置１ａは、給湯サイクルにおいて、ステップＳ８０２で演算した目標回転速度で給湯用圧縮機４１を運転し、さらに、給湯サイクルにおける給湯用冷媒の吐出温度がステップＳ８０２で演算した目標吐出温度「Ｔｄ」となるように給湯用膨張弁４３の弁開度を設定する（ステップＳ８０５）。
例えば、目標吐出温度と給湯用膨張弁４３の弁開度の関係を示すマップを予め決定し、制御装置１ａが、演算した目標吐出温度「Ｔｄ」に基づいて当該マップを参照することによって給湯用膨張弁４３の弁開度を設定する構成とすればよい。
そして、制御装置１ａは、空調サイクルにおいて、演算した目標回転速度で空調用圧縮機２１を運転し、さらに、空調サイクルにおける空調用冷媒の蒸発温度がステップＳ８０２で演算した目標蒸発温度「Ｔｅ」となるように空調用膨張弁２７の弁開度を設定する（ステップＳ８０６）。
例えば、目標蒸発温度と空調用膨張弁２７の弁開度の関係を示すマップを予め決定し、制御装置１ａが、演算した目標蒸発温度「Ｔｅ」に基づいて当該マップを参照することによって空調用膨張弁２７の弁開度を設定する構成とすればよい。
【００６０】
さらに、制御装置１ａは、図５に示すステップＳ４と同じ手順で給湯吸熱量と空調放熱量を演算し（ステップＳ８０７）、給湯吸熱量と空調放熱量が等しいか否かを判定する（ステップＳ８０８）。なお、ステップＳ８０８において制御装置１ａは、給湯吸熱量と空調放熱量の差が予め設定される範囲内にあるときに、給湯吸熱量と空調放熱量が等しいと判定する。
給湯吸熱量と空調放熱量が等しい間（ステップＳ８０８→Ｙｅｓ）、制御装置１ａは手順をステップＳ８０１に戻して排熱回収運転を継続する。この構成によって、例えば、空調用室外ファン２５及び給湯用室外ファン４５の動力を削減することができ、空調給湯システム１００を省エネルギで運転できる。
一方、給湯吸熱量と空調放熱量が等しくない場合（ステップＳ８０８→Ｎｏ）、制御装置１ａは冷房・給湯単独運転に切り替える。このとき制御装置１ａは、手順をステップＳ８０９に進め、空調用冷媒回路５における中間熱交換器２３の空調用冷媒と、給湯用冷媒回路６における中間熱交換器２３の給湯用冷媒を回収するために冷媒回収運転（第２冷媒回収運転）を実行する。
ここでの冷媒回収運転（第２冷媒回収運転）は、空調給湯システム１００が「排熱回収運転モード」に設定されて、第２状態で排熱回収運転（第２運転）されるときに中間熱交換器２３を流通する空調用冷媒を一時回収し、回収した空調用冷媒を空調用熱源側熱交換器２４に流通させるための第２空調用冷媒回収運転と、排熱回収運転されるときに中間熱交換器２３を流通する給湯用冷媒を一時回収し、回収した給湯用冷媒を給湯用熱源側熱交換器４４に流通させるための第２給湯用冷媒回収運転と、を含んでいる。図８を参照して、第２冷媒回収運転（第２空調用冷媒回収運転、第２給湯用冷媒回収運転）の手順を説明する。
なお、第２冷媒回収運転時は、空調サイクルにおける第２空調用冷媒回収運転と、給湯サイクルにおける第２給湯用冷媒回収運転が同時に実行され、第２空調用冷媒回収運転と第２給湯用冷媒回収運転が共に終了したときに、制御装置１ａは、第２冷媒回収運転が終了したとする。
【００６１】
図８の（ａ）は、第２空調用冷媒回収運転の手順を示している。すなわち、図７のステップＳ８０９での手順のうち、空調サイクルにおける具体的な手順を示している。第２空調用冷媒回収運転を開始すると、制御装置１ａは、空調用膨張弁２７を閉弁し、空調用熱源側熱交換器２４の冷房時空調用冷媒入口２４ａに配設される第１制御弁３５ｃを開弁する。さらに、制御装置１ａは、中間熱交換器２３又は空調用熱源側熱交換器２４を流通した空調用冷媒が空調用圧縮機２１の吸込口２１ａに流入するように四方弁２２を切り替える（ステップＳ８９０ａ）。このとき、中間熱交換器２３の出入口（冷房時空調用冷媒入口２３ａ、冷房時空調用冷媒出口２３ｂ）に配設される開閉弁３５ａ，３５ｂは開弁した状態にある。したがって、中間熱交換器２３は、液体の空調用冷媒が封じられる状態（液封）になることがない。また、空調用膨張弁２７の閉弁によって、中間熱交換器２３の冷房時空調用冷媒出口２３ｂへの空調用冷媒の流入が遮断される。なお、ステップＳ８９０ａは、制御装置１ａが空調用膨張弁２７の替わりに、中間熱交換器２３の冷房時空調用冷媒出口２３ｂに配設される開閉弁３５ｂを閉弁する構成であってもよい。この構成であっても、中間熱交換器２３の冷房時空調用冷媒出口２３ｂへの空調用冷媒の流入を遮断できる。
また、四方弁２２の切り替えと、開閉弁３５ａ及び第１制御弁３５ｃの開弁によって、中間熱交換器２３の冷房時空調用冷媒入口２３ａ及び空調用熱源側熱交換器２４の冷房時空調用冷媒入口２４ａと、空調用圧縮機２１の吸込口２１ａと、を連通させることができ、中間熱交換器２３及び空調用熱源側熱交換器２４に残存する空調用冷媒を空調用圧縮機２１で吸引できる。
【００６２】
そして、制御装置１ａは空調用圧縮機２１の運転（空調用冷媒の圧縮）を継続し、中間熱交換器２３の冷房時空調用冷媒入口２３ａの温度と、冷房時空調用冷媒出口２３ｂの温度を演算する（ステップＳ８９１ａ）。
具体的に、制御装置１ａは、中間熱交換器２３の冷房時空調用冷媒入口２３ａ側に備わる温度センサＴＨ１３から受信するデータに基づいて、冷房時空調用冷媒入口２３ａの温度を演算し、中間熱交換器２３の冷房時空調用冷媒出口２３ｂに備わる温度センサＴＨ１４から受信するデータに基づいて、冷房時空調用冷媒出口２３ｂの温度を演算する。
排熱回収運転時の中間熱交換器２３において、冷房時空調用冷媒入口２３ａには外気温度より高温のガス冷媒が存在し、冷房時空調用冷媒出口２３ｂには給湯用冷媒に放熱して凝縮した低温の液冷媒が存在するため、冷房時空調用冷媒入口２３ａと冷房時空調用冷媒出口２３ｂに温度差が生じる。
この状態で空調用圧縮機２１が運転されて、中間熱交換器２３内から空調用冷媒が回収されると、冷房時空調用冷媒入口２３ａは高温の空調用冷媒が無くなり、冷房時空調用冷媒入口２３ａの温度は外気温度に近い温度になる。同様に、冷房時空調用冷媒出口２３ｂは凝縮した空調用冷媒が無くなり、冷房時空調用冷媒出口２３ｂの温度が外気温度に近い温度になる。したがって、冷房時空調用冷媒入口２３ａと冷房時空調用冷媒出口２３ｂの温度差が無くなる。
【００６３】
そこで、制御装置１ａは、中間熱交換器２３の冷房時空調用冷媒入口２３ａと冷房時空調用冷媒出口２３ｂの温度差が所定温度差（例えば、５℃）以下になるまで待機し（ステップＳ８９２ａ→Ｎｏ）、冷房時空調用冷媒入口２３ａと冷房時空調用冷媒出口２３ｂの温度差が前記した所定温度差以下になったとき（ステップＳ８９２ａ→Ｙｅｓ）、中間熱交換器２３内から空調用冷媒が回収されたと判定し、第２空調用冷媒回収運転の終了を決定する。そして、制御装置１ａは、空調用膨張弁２７を開弁して（ステップＳ８９３ａ）、第２空調用冷媒回収運転を終了する。
ここでいう所定温度差は、中間熱交換器２３から空調用冷媒が回収されたとみなせる温度差であって前記した５℃に限定される値ではなく、中間熱交換器２３に残留した空調用冷媒の相変化に起因する温度差ではないと判断できる値であればよい。
以上のステップＳ８９０ａからステップＳ８９３ａの手順で、空調用冷媒回路５における中間熱交換器２３の空調用冷媒が回収される。
【００６４】
図８の（ｂ）は、第２給湯用冷媒回収運転の手順を示している。すなわち、図７のステップＳ８０９での手順のうち、給湯サイクルにおける具体的な手順を示している。
第２給湯用冷媒回収運転を開始すると、制御装置１ａは、給湯用膨張弁４３を閉弁し、さらに、給湯用熱源側熱交換器４４の給湯用冷媒出口４４ｂに配設される第４制御弁４９ｃを開弁する（ステップＳ８９０ｂ）。このとき、中間熱交換器２３の出入口（給湯用冷媒入口２３ｃ、給湯用冷媒出口２３ｄ）に配設される開閉弁４９ｂ，４９ｄは開弁した状態にある。したがって、中間熱交換器２３は、液体の給湯用冷媒が封じられる状態（液封）になることがない。また、給湯用膨張弁４３の閉弁によって、中間熱交換器２３の給湯用冷媒入口２３ｃへの給湯用冷媒の流入が遮断される。なお、ステップＳ８９０ｂは、制御装置１ａが給湯用膨張弁４３の替わりに、中間熱交換器２３の給湯用冷媒入口２３ｃに配設される開閉弁４９ｂを閉弁する構成であってもよい。この構成であっても、中間熱交換器２３の給湯用冷媒入口２３ｃへの給湯用冷媒の流入を遮断できる。
また、開閉弁４９ｄ及び第４制御弁４９ｃの開弁によって、中間熱交換器２３の給湯用冷媒出口２３ｄ及び給湯用熱源側熱交換器４４の給湯用冷媒出口４４ｂと、給湯用圧縮機４１の吸込口４１ａと、を連通させることができ、中間熱交換器２３及び給湯用熱源側熱交換器４４に残存する給湯用冷媒を給湯用圧縮機４１で吸引できる。
【００６５】
そして、制御装置１ａは給湯用圧縮機４１の運転（給湯用冷媒の圧縮）を継続し、中間熱交換器２３の給湯用冷媒入口２３ｃの温度と、給湯用冷媒出口２３ｄの温度を演算する（ステップＳ８９１ｂ）。
具体的に、制御装置１ａは、中間熱交換器２３の給湯用冷媒入口２３ｃ側に備わる温度センサＴＨ２３から受信するデータに基づいて、給湯用冷媒入口２３ｃの温度を演算する。さらに、制御装置１ａは、中間熱交換器２３の給湯用冷媒出口２３ｄに備わる温度センサＴＨ１０から受信するデータに基づいて、給湯用冷媒出口２３ｄの温度を演算する。
排熱回収運転時の中間熱交換器２３において、給湯用冷媒入口２３ｃには外気温度より低温の気液二相冷媒が存在し、給湯用冷媒出口２３ｄには空調用冷媒から吸熱して気化した高温のガス冷媒が存在するため、給湯用冷媒入口２３ｃと給湯用冷媒出口２３ｄに温度差が生じる。
この状態で給湯用圧縮機４１が運転されて、中間熱交換器２３内から給湯用冷媒が回収されると、給湯用冷媒入口２３ｃは低温の給湯用冷媒が無くなり、給湯用冷媒入口２３ｃの温度は外気温度に近い温度になる。同様に、給湯用冷媒出口２３ｄは高温の給湯用冷媒が無くなり、給湯用冷媒出口２３ｄの温度は外気温度に近い温度になる。したがって、給湯用冷媒入口２３ｃと給湯用冷媒出口２３ｄの温度差が無くなる。
【００６６】
そこで、制御装置１ａは、中間熱交換器２３の給湯用冷媒入口２３ｃと給湯用冷媒出口２３ｄの温度差が所定温度差（例えば、５℃）以下になるまで待機し（ステップＳ８９２ｂ→Ｎｏ）、給湯用冷媒入口２３ｃと給湯用冷媒出口２３ｄの温度差が前記した所定温度差以下になったとき（ステップＳ８９２ｂ→Ｙｅｓ）、中間熱交換器２３内から給湯用冷媒が回収されたと判定し、第２給湯用冷媒回収運転の終了を決定する。ここでいう所定温度差は、中間熱交換器２３から給湯用冷媒が回収されたとみなせる温度差であって前記した５℃に限定される値ではなく、中間熱交換器２３に残留した給湯用冷媒の相変化に起因する温度差ではないと判断できる値であればよい。そして、制御装置１ａは、給湯用膨張弁４３を開弁して（ステップＳ８９３ｂ）、第２給湯用冷媒回収運転を終了する。
以上のステップＳ８９０ｂからステップＳ８９３ｂの手順で、給湯用冷媒回路６における中間熱交換器２３の給湯用冷媒が回収される。
そして制御装置１ａは、第２空調用冷媒回収運転と第２給湯用冷媒回収運転がともに終了したときに、図７のステップＳ８０９に示す第２冷媒回収運転が終了したとし、手順を図５に示すステップＳ１に戻して、冷房・給湯単独運転を実行する。
【００６７】
このように、本実施形態に係る空調給湯システム１００（図１参照）は、空調サイクルの冷房運転と、給湯サイクルの給湯運転を単独で行う冷房・給湯単独運転と、中間熱交換器２３を介して空調用冷媒回路５を流通する空調用冷媒と給湯用冷媒回路６を流通する給湯用冷媒とで熱交換を行いながら、空調サイクルの冷房運転と給湯サイクルの給湯運転を行う排熱回収運転と、を給湯吸熱量と空調放熱量に応じて切り替えて運転可能である。
そして、冷房・給湯単独運転と排熱回収運転の切替時に、空調用冷媒回路５及び給湯用冷媒回路６で冷媒回収運転（第１冷媒回収運転、第２冷媒回収運転）を実行することを特徴とする。
【００６８】
この構成によると、例えば空調給湯システム１００（図１参照）が、冷房・給湯単独運転から排熱回収運転に切り替わる時、給湯用冷媒回路６（図１参照）においては、常に、給湯用熱源側熱交換器４４（図１参照）を給湯用冷媒が回収された状態にすることができる。
そして、制御装置１ａ（図１参照）は、給湯用熱源側熱交換器４４の出入口（給湯用冷媒入口４４ａ、給湯用冷媒出口４４ｂ）及び中間熱交換器２３の出入口（給湯用冷媒入口２３ｃ、給湯用冷媒出口２３ｄ）の温度差によって速やかに給湯用冷媒が回収されたことを判定でき、給湯用熱源側熱交換器４４の出入口に備わる流量制御弁（第３制御弁４９ａ、第４制御弁４９ｃ）を速やかに閉弁できる。したがって、給湯用熱源側熱交換器４４の内部から給湯用冷媒が回収された状態のまま給湯用圧縮機４４（図１参照）が運転される状態を短縮することができ、給湯用圧縮機４４に過度の負荷がかかることを好適に防止できる。
また、空調用冷媒回路５（図１参照）においては、常に、空調用熱源側熱交換器２４（図１参照）を空調用冷媒が回収された状態にすることができ、さらに、空調用冷媒が回収されたことを、空調用熱源側熱交換器２４の出入口（冷房時空調用入口２４ａ、冷房時空調用冷媒出口２４ｂ）及び中間熱交換器２３の出入口（冷房時空調用入口２３ａ、冷房時空調用冷媒出口２３ｂ）の温度差によって速やかに判定できて、空調用圧縮機２１（図１参照）に過度の負荷がかかることを好適に防止できる。
【００６９】
例えば、冷房・給湯単独運転から排熱回収運転に切り替わる時の給湯用熱源側熱交換器４４における給湯用冷媒の残存量は、冷媒の状態（液体、気体、気液二相）に応じて変化し、液体の場合には多量の給湯用冷媒が給湯用熱源側熱交換器４４に残存する。
このことによって、排熱回収運転時の給湯用冷媒回路６における給湯用冷媒の流通量が少なくなる。つまり、給湯用熱源側熱交換器４４における給湯用冷媒の状態に応じて、排熱回収運転時の給湯用冷媒回路６における給湯用冷媒の流通量が変化する。したがって、排熱回収運転ごとに給湯用冷媒の流量が異なる場合があり、ひいては、排熱回収運転の安定性が低下する要因となる。
同様のことは、空調用冷媒回路５（図１参照）においても発生する。
また、排熱回収運転から冷房・給湯単独運転に切り替わる時にも発生し、冷房・給湯単独運転の安定性が低下する要因となる。
【００７０】
本実施形態に係る空調給湯システム１００（図１参照）は、前記したように冷房・給湯単独運転から排熱回収運転に切り替わる時に、給湯用冷媒回収運転（第１給湯用冷媒回収運転、第２給湯用冷媒回収運転）によって給湯用熱源側熱交換器４４の給湯用冷媒を回収することができ、排熱回収運転時の給湯用冷媒回路６における給湯用冷媒の流通量を常に一定にすることができる。したがって、排熱回収運転の安定性を向上できる。
同様に、排熱回収運転時における空調用冷媒回路５における空調用冷媒の流通量を常に一定にすることができ、排熱回収運転の安定性をさらに向上できる。
また、冷房・給湯単独運転時における給湯用冷媒回路６の給湯用冷媒の流通量と空調用冷媒回路５の空調用冷媒の流通量も常に一定にすることができ、冷房・給湯単独運転の安定性も向上できる。
【００７１】
また、空調用冷媒回路５（図１参照）においては、冷房・給湯単独運転時に中間熱交換器２３を使用せず、排熱回収運転時に空調用熱源側熱交換器２４を使用しない。本実施形態に係る空調給湯システム１００（図１参照）は、使用しない熱交換器（不使用熱交換器）の空調用冷媒を回収し、使用する熱交換器（使用熱交換器）で利用する構成であることから、空調用冷媒を回収しない場合に不使用熱交換器に残存する量の空調用冷媒を削減できる。したがって、空調用冷媒回路５の空調用冷媒封入量を削減できる。
同様に、給湯用冷媒回路６の給湯用冷媒封入量を削減できる。
空調用冷媒及び給湯用冷媒は地球温暖化を促進する物質の一つであり、その封入量（使用量）を削減することは、地球温暖化の抑制に寄与することになる。
つまり、本実施形態に係る空調給湯システム１００（図１参照）は、冷房・給湯単独運転と排熱回収運転の切り替え時に冷媒回収運転（第１冷媒回収運転、第２冷媒回収運転）を実行することによって冷媒（空調用冷媒、給湯用冷媒）の使用量を削減し、地球温暖化の抑制に寄与する。
【００７２】
また、冷房・給湯単独運転と排熱回収運転は、給湯吸熱量と空調放熱量の変化に応じて切り替わるため、例えば、吸水口７８（図１参照）から供給される水の温度、貯湯タンク７０（図１参照）に貯湯される湯の温度（設定温度）、住宅６０の設定温度、外気温度等の変化に応じて、冷房・給湯単独運転と排熱回収運転が頻繁に切り替わる場合がある。
また、図示はしないが、太陽熱集熱器を備え、太陽熱を熱源として利用する構成の場合は、日射量の変化に応じて給湯吸熱量と空調放熱量が変化するため、冷房・給湯単独運転と排熱回収運転がさらに頻繁に切り替わる。
このため、冷房・給湯単独運転と排熱回収運転が速やかに切り替わることが好ましく、そのためには、冷媒回収運転（第１冷媒回収運転、第２冷媒回収運転）が速やかに実行されることが好ましい。
本実施形態に係る空調給湯システム１００（図１参照）は、空調用膨張弁２７（図１参照）及び給湯用膨張弁４３（図１参照）の閉弁、第１制御弁３５ｃ（図１参照）、第４制御弁４９ｃ（図１参照）、開閉弁３５ａ（図１参照）及び開閉弁４９ｄ（図１参照）の開弁という弁の開閉動作のみで冷媒回収運転することができ、その他の設定等が不必要であるため速やかに冷媒回収運転できる。さらに、中間熱交換器２３（図１参照）、空調用熱源側熱交換器２４（図１参照）、及び給湯用熱源側熱交換器４４（図１参照）の出入口の温度を演算するだけで容易に冷媒（空調用冷媒、給湯用冷媒）の回収の終了を判定することができ、この点でも速やかに冷媒回収運転を実行できる。
【００７３】
また、中間熱交換器２３、空調用熱源側熱交換器２４、及び給湯用熱源側熱交換器４４の出入口の温度を演算するだけで容易に冷媒（空調用冷媒、給湯用冷媒）の回収の終了を判定することができるため、中間熱交換器２３や空調用熱源側熱交換器２４の内部から空調用冷媒が回収された状態での空調用圧縮機２１（図１参照）の運転時間、及び、中間熱交換器２３や給湯用熱源側熱交換器４４の内部から給湯用冷媒が回収された状態での給湯用圧縮機４１（図１参照）の運転時間を短縮できる。
熱交換器（中間熱交換器２３、空調用熱源側熱交換器２４、給湯用熱源側熱交換器４４）の内部から冷媒（空調用冷媒、給湯用冷媒）が回収された状態で圧縮機（空調用圧縮機２１、給湯用圧縮機４１）が運転されると、圧縮機や熱交換器に過度の負担がかかるため、このような運転は短いほうがよい。本実施形態においては、熱交換器の出入口の温度に基づいて、当該熱交換器から冷媒が回収されたことを速やかに判定することができ、圧縮機に過度の負担がかかる状態での運転時間を短くできる。
そして、熱交換器（中間熱交換器２３、空調用熱源側熱交換器２４、給湯用熱源側熱交換器４４）の出入口の温度の演算には、予め配設されている温度センサを利用することができる。したがって、冷媒回収運転（第１冷媒回収運転、第２冷媒回収運転）のための部材（センサ等）を配設する必要がなく、簡単な構成の空調給湯システム１００（図１参照）とすることができる。
【００７４】
なお、前記したように、本実施形態に係る空調給湯システム１００（図１参照）は、不使用熱交換器の冷媒を回収し、使用熱交換器の冷媒として冷媒回路を流通させる構成であり、例えば、排熱回収運転時の給湯用冷媒回路６（図１参照）においては、不使用熱交換器となる給湯用熱源側熱交換器４４（図１参照）の給湯用冷媒を回収し、使用熱交換器となる中間熱交換器２３（図１参照）の給湯用冷媒として給湯用冷媒回路６を流通させる。
そして、例えば、中間熱交換器２３を流通する給湯用冷媒の流量が、給湯用熱源側熱交換器４４を流通する給湯用冷媒の流量より少なく構成される場合がある。この場合、給湯用熱源側熱交換器４４から回収した給湯用冷媒の全てが給湯用冷媒回路６に流通すると、過剰な量の給湯用冷媒が流通することになる。
したがって、冷房・給湯単独運転から排熱回収運転への切り替え時に実行される冷媒回収運転（第１冷媒回収運転）で、余剰となる給湯用冷媒を給湯用熱源側熱交換器４４で保管する構成としてもよい。
例えば、図６の（ｂ）に示す第１給湯用冷媒回収運転において、制御装置１ａ（図１参照）がステップＳ７０３ｂで給湯用熱源側熱交換器４４から給湯用冷媒が回収されたことを判定した後（ステップＳ７０３ｂ→Ｙｅｓ）、所定時間に亘って給湯用膨張弁４３（図１参照）を開弁し、開閉弁４９ｂ（図１参照）を閉弁する構成とすれば、所定量の給湯用冷媒を給湯用熱源側熱交換器４４に流入させることができる。その後、制御装置１ａが第３制御弁４９ａ（図１参照）及び第４制御弁４９ｃ（図１参照）を閉弁することで、所定量の給湯用冷媒を給湯用熱源側熱交換器４４で保管できる。
【００７５】
給湯用熱源側熱交換器４４（図１参照）での給湯用冷媒の保管量は、給湯用冷媒回路６（図１参照）の給湯用冷媒の封入量、給湯用熱源側熱交換器４４における給湯用冷媒の流量、中間熱交換器２３（図１参照）における給湯用冷媒の流量に応じて適宜決定される量である。また、給湯用膨張弁４３を開弁し、開閉弁４９ｂを閉弁する所定時間は、給湯用熱源側熱交換器４４への給湯用冷媒の単位時間当たりの流入量と、給湯用冷媒の保管量に応じて適宜決定される時間である。
そして、給湯用熱源側熱交換器４４への給湯用冷媒の単位時間当たりの流入量は、給湯用圧縮機４１の回転速度、給湯用膨張弁４３及び第３制御弁４９ａの弁開度等によって決定される。したがって、開閉弁４９ｂを閉弁する所定時間は、給湯用圧縮機４１の回転速度、給湯用膨張弁４３及び第３制御弁４９ａの弁開度等に基づいて容易に決定可能である。
本実施形態の空調給湯システム１００（図１参照）は、給湯用熱源側熱交換器４４の給湯用冷媒が全て回収された状態から、余剰な給湯用冷媒を給湯用熱源側熱交換器４４に流入させるため、給湯用熱源側熱交換器４４での給湯用冷媒の保管量を正確に管理できる。
つまり、給湯用熱源側熱交換器４４における給湯用冷媒の残存量がゼロの状態から、所定時間に亘って給湯用冷媒を給湯用熱源側熱交換器４４に流入させることができるため、給湯用冷媒の単位時間当たりの流入量と所定時間に応じ、正確な量の給湯用冷媒を給湯用熱源側熱交換器４４に流入させて保管できる。
したがって、例えば、余剰な給湯用冷媒より多くの量の給湯用冷媒が給湯用熱源側熱交換器４４に流入することがなく、ひいては、排熱回収運転時に給湯用冷媒回路６を流通する給湯用冷媒の流量が不足することを防止できる。
同様に、空調用冷媒回路５においても空調用冷媒を空調用熱源側熱交換器２４に保管することができ、排熱回収運転時に空調用冷媒回路５を流通する空調用冷媒の流量が不足することを防止できる。
【００７６】
本実施形態に係る空調給湯システム１００（図１参照）は、以上のように構成されるが、発明の趣旨を逸脱しない範囲で適宜設計変更が可能である。
【００７７】
例えば、本実施形態に係る空調給湯システム１００（図１参照）は、給湯用冷媒回収運転（第１給湯用冷媒回収運転、第２給湯用冷媒回収運転）と空調用冷媒回収運転（第１空調用冷媒回収運転、第２空調用冷媒回収運転）を実行するように構成されているが、給湯用冷媒回収運転と空調用冷媒回収運転のいずれか一方を実行する構成であってもよい。
また、本実施形態に係る空調給湯システム１００は、給湯吸熱量と空調放熱量が等しくない場合に冷房・給湯単独運転するように構成されているが、例えば、空調放熱量が給湯吸熱量より多い場合、空調放熱量のうち給湯吸熱量より多い熱量を空調用熱源側熱交換器２４（図１参照）で放熱する構成であってもよい。
具体的に、空調放熱量が給湯吸熱量より多い場合、制御装置１ａ（図１参照）は、空調サイクルにおいて、第１制御弁３５ｃ（図１参照）及び第２制御弁３５ｄ（図１参照）を開弁して空調用熱源側熱交換器２４に空調用冷媒の一部を流通させ、さらに、空調用室外ファン２５（図１参照）を運転する。空調サイクルにおける空調用冷媒は、中間熱交換器２３（図１参照）と空調用熱源側熱交換器２４に流通し、中間熱交換器２３で給湯用冷媒に放熱するとともに、空調用熱源側熱交換器２４で大気に放熱する。
この構成の場合も、空調放熱量と給湯吸熱量が等しくなって排熱回収運転に切り替えるときに、空調用冷媒回収運転で空調用冷媒を回収することで、排熱回収運転の安定性を向上できる。
【００７８】
また、本実施形態に係る空調給湯システム１００では、圧縮機（空調用圧縮機２１、給湯用圧縮機４１）が運転されるときの回転速度によって熱交換器（空調用熱源側熱交換器２４、給湯用熱源側熱交換器４４、中間熱交換器２３）から冷媒（空調用冷媒、給湯用冷媒）を回収する速度を変えることができる。つまり、圧縮機の回転速度が高いほど速やかに熱交換器から冷媒を回収できる。したがって、圧縮機の回転速度を調整することによって、冷媒回収運転（第１冷媒回収運転、第２冷媒回収運転）に要する時間を調整できる。
具体的には、高い回転速度で圧縮機を運転することによって、冷媒回収運転に要する時間を短縮できる。
【００７９】
また、例えば、給湯用冷媒回収運転（第１給湯用冷媒回収運転、第２給湯用冷媒回収運転）において、制御装置１ａは、給湯用熱源側熱交換器４４（図１参照）の給湯用冷媒入口４４ａと給湯用冷媒出口４４ｂの温度差に基づいて給湯用冷媒回収運転の終了を決定しているが、以下のように変形することも可能である（以下適宜図１〜４参照）。
【００８０】
《変形例１》
冷房・給湯単独運転時の給湯用熱源側熱交換器４４において、給湯用冷媒入口４４ａには給湯用膨張弁４３を流通した低温低圧の給湯用冷媒（気液二相冷媒）が存在し、その温度は外気温度より低温である。この状態から給湯用冷媒が回収されると、給湯用冷媒入口４４ａの給湯用冷媒が無くなった時点で給湯用冷媒入口４４ａの温度が上昇し、外気温度に近い温度となる。換言すると、給湯用冷媒入口４４ａの温度が外気温度に近い温度まで上昇し、給湯用冷媒入口４４ａの温度と外気温度の温度差が小さくなったとき、給湯用熱源側熱交換器４４内から給湯用冷媒が回収された状態になったと判定できる。
そこで、例えば図６の（ｂ）のステップＳ７０２ｂにおいて、制御装置１ａは給湯用熱源側熱交換器４４の給湯用冷媒出口４４ｂの温度の替わりに、温度センサＴＨ１９からの受信データに基づいて外気温度を演算する構成とする。さらに、ステップＳ７０３ｂにおいて、制御装置１ａは、給湯用冷媒入口４４ａの温度と外気温度の温度差があらかじめ設定される所定の外気温差（例えば、１５℃）未満になるまで給湯用冷媒入口４４ａの温度が上昇したときに、給湯用熱源側熱交換器４４内から給湯用冷媒が回収された状態になったと判定して第１給湯用冷媒回収運転の終了を決定する構成としてもよい。
なお、給湯用冷媒入口４４ａの温度に替えて、給湯用冷媒出口４４ｂの温度と外気温度の温度差が前記した外気温差未満になったときに、制御装置１ａが、給湯用熱源側熱交換器４４内から給湯用冷媒が回収されたことを判定する構成としてもよい。
また、中間熱交換器２３から給湯用冷媒を回収する第２給湯用冷媒回収運転時に、制御装置１ａが、給湯用冷媒入口２３ｃの温度と外気温度の温度差が前記した外気温差未満になったときに、中間熱交換器２３内から給湯用冷媒が回収されたことを判定する構成としてもよいし、給湯用冷媒出口２３ｄの温度と外気温度の温度差が前記した外気温差未満になったときに、中間熱交換器２３内から給湯用冷媒が回収されたことを判定する構成としてもよい。
すなわち、制御装置１ａは、給湯用熱源側熱交換器４４の給湯用冷媒入口４４ａの温度と外気温度の温度差、給湯用冷媒出口４４ｂの温度と外気温度の温度差、中間熱交換器２３の給湯用冷媒入口２３ｃの温度と外気温度の温度差、給湯用冷媒出口２３ｄの温度と外気温度の温度差、の少なくとも１つに基づいて、給湯用冷媒回収運転（第１給湯用冷媒回収運転、第２給湯用冷媒回収運転）の終了を決定する構成にすることができる。
このような構成であっても、温度センサ以外の部材（センサ等）を配設する必要がなく、簡単な構成の空調給湯システム１００とすることができる。
【００８１】
なお、この変形例１を空調用冷媒回収運転（第１空調用冷媒回収運転、第２空調用冷媒回収運転）に適用することも可能である。
第１空調用冷媒回収運転に適用した場合、制御装置１ａは、図６の（ａ）のステップＳ７０２ａにおいて、空調用熱源側熱交換器２４の冷房時空調用冷媒出口２４ｂの温度の替わりに外気温度を演算し、さらに、ステップＳ７０３ａにおいて、冷房時空調用冷媒入口２４ａの温度と外気温度の温度差が前記した所定の外気温差未満になったときに、空調用熱源側熱交換器２４内から空調用冷媒が回収されたと判定して第１空調用冷媒回収運転の終了を決定する。
なお、冷房時空調用冷媒入口２４ａの温度に替えて、冷房時空調用冷媒出口２４ｂの温度と外気温度の温度差が前記した外気温差未満になったときに、制御装置１ａが、空調用熱源側熱交換器２４内から空調用冷媒が回収されたと判定する構成としてもよい。
また、中間熱交換器２３から空調用冷媒を回収する第２空調用冷媒回収運転時に、制御装置１ａが、冷房時空調用冷媒入口２３ａの温度と外気温度の温度差が前記した外気温差未満になったときに、中間熱交換器２３内から空調用冷媒が回収されたことを判定する構成としてもよいし、冷房時空調用冷媒出口２３ｂの温度と外気温度の温度差が前記した外気温差未満になったときに、中間熱交換器２３内から空調用冷媒が回収されたことを判定する構成としてもよい。
すなわち、制御装置１ａは、空調用熱源側熱交換器２４の冷房時空調用冷媒入口２４ａの温度と外気温度の温度差、冷房時空調用冷媒出口２４ｂの温度と外気温度の温度差、中間熱交換器２３の冷房時空調用冷媒入口２３ａの温度と外気温度の温度差、冷房時空調用冷媒出口２３ｂの温度と外気温度の温度差、の少なくとも１つに基づいて、空調用冷媒回収運転（第１空調用冷媒回収運転、第２空調用冷媒回収運転）の終了を決定する構成にすることができる。
【００８２】
《変形例２》
また、変形例１において、給湯用冷媒入口４４ａの給湯用冷媒が無くなった時点で給湯用冷媒入口４４ａの温度が上昇するが、その温度の上昇率に基づいて制御装置１ａが給湯用熱源側熱交換器４４内から給湯用冷媒が回収されたことを判定する構成としてもよい。
給湯用冷媒入口４４ａの温度は給湯用冷媒が無くなると急速に上昇することから、給湯用冷媒入口４４ａの温度上昇率が大きいとき、制御装置１ａは給湯用冷媒入口４４ａに給湯用冷媒が無くなって給湯用熱源側熱交換器４４の内部の給湯用冷媒が回収されたと判定できる。
そこで、例えば図６の（ｂ）のステップＳ７０２ｂにおいて、制御装置１ａは給湯用熱源側熱交換器４４の給湯用冷媒入口４４ａの温度のみを演算する構成とする。さらに、ステップＳ７０３ｂにおいて、制御装置１ａは、ステップＳ７０２ｂで演算した給湯用冷媒入口４４ａの温度と、所定の単位時間（例えば、１秒）前にステップＳ７０２ｂを実行したときに演算した給湯用冷媒入口４４ａの温度とから、給湯用冷媒入口４４ａの温度の単位時間あたりの温度上昇率を演算する構成とする。
そして、制御装置１ａは、給湯用冷媒入口４４ａの温度上昇率が予め設定される所定上昇率（例えば、０．５℃／秒）より大きくなったときに、給湯用熱源側熱交換器４４内から給湯用冷媒が回収された状態になったと判定して第１給湯用冷媒回収運転の終了を決定する構成としてもよい。
【００８３】
なお、給湯用冷媒入口４４ａの温度に替えて、給湯用熱源側熱交換器４４の給湯用冷媒出口４４ｂの温度上昇率が前記した所定上昇率より大きくなったときに、制御装置１ａが、給湯用熱源側熱交換器４４内から給湯用冷媒が回収されたことを判定する構成としてもよい。
また、中間熱交換器２３から給湯用冷媒を回収する第２給湯用冷媒回収運転時に、制御装置１ａが、中間熱交換器２３の給湯用冷媒入口２３ｃの温度上昇率が前記した所定上昇率より大きくなったときに、中間熱交換器２３内から給湯用冷媒が回収されたことを判定する構成としてもよいし、中間熱交換器２３の給湯用冷媒出口２３ｄの温度上昇率が前記した所定上昇率より大きくなったときに、中間熱交換器２３内から給湯用冷媒が回収されたことを判定する構成としてもよい。
すなわち、制御装置１ａは、給湯用熱源側熱交換器４４の給湯用冷媒入口４４ａの温度上昇率、給湯用冷媒出口４４ｂの温度上昇率、中間熱交換器２３の給湯用冷媒入口２３ｃの温度上昇率、給湯用冷媒出口２３ｄの温度上昇率、の１つ、またはこれらの組合せに基づいて、給湯用冷媒回収運転（第１給湯用冷媒回収運転、第２給湯用冷媒回収運転）の終了を決定する構成にすることができる。
このような構成であっても、温度センサ以外の部材（センサ等）を配設する必要がなく、簡単な構成の空調給湯システム１００とすることができる。
【００８４】
なお、この変形例２を空調用冷媒回収運転（第１空調用冷媒回収運転、第２空調用冷媒回収運転）に適用することも可能である。
第１空調用冷媒回収運転に適用した場合、制御装置１ａは、図６の（ａ）のステップＳ７０２ａにおいて、空調用熱源側熱交換器２４の冷房時空調用冷媒入口２４ａの温度のみを演算する構成とする。さらに、ステップＳ７０３ａにおいて、制御装置１ａは、ステップＳ７０２ａで演算した冷房時空調用冷媒入口２４ａの温度と、例えば１秒などの所定の単位時間前にステップＳ７０２ａを実行したときに演算した冷房時空調用冷媒入口２４ａの温度とから、冷房時空調用冷媒入口２４ａの温度の単位時間あたりの温度上昇率を演算する構成とする。そして、制御装置１ａは、冷房時空調用冷媒入口２４ａの温度上昇率が、予め設定される前記した所定上昇率より大きくなったときに、空調用熱源側熱交換器２４内から空調用冷媒が回収されたことを判定して第１空調用冷媒回収運転の終了を決定する構成としてもよい。
なお、冷房時空調用冷媒入口２４ａの温度に替えて、空調用熱源側熱交換器２４の冷房時空調用冷媒出口２４ｂの温度上昇率が前記した所定上昇率より大きくなったときに、制御装置１ａが、空調用熱源側熱交換器２４内から空調用冷媒が回収されたことを判定する構成としてもよい。、
また、中間熱交換器２３から空調用冷媒を回収する第２空調用冷媒回収運転時に、制御装置１ａが、中間熱交換器２３の冷房時空調用冷媒入口２３ａの温度上昇率が前記した所定上昇率より大きくなったときに、中間熱交換器２３内から空調用冷媒が回収されたことを判定する構成としてもよいし、中間熱交換器２３の冷房時空調用冷媒出口２３ｂの温度上昇率が前記した所定上昇率より大きくなったときに、中間熱交換器２３内から空調用冷媒が回収されたことを判定する構成としてもよい。
すなわち、制御装置１ａは、空調用熱源側熱交換器２４の冷房時空調用冷媒入口２４ａの温度上昇率、冷房時空調用冷媒出口２４ｂの温度上昇率、中間熱交換器２３の冷房時空調用冷媒入口２３ａの温度上昇率、冷房時空調用冷媒出口２３ｂの温度上昇率、の１つ、またはこれらの組合せに基づいて、空調用冷媒回収運転（第１空調用冷媒回収運転、第２空調用冷媒回収運転）の終了を決定する構成にすることができる。
【符号の説明】
【００８５】
１ａ    制御装置
５      空調用冷媒回路
６      給湯用冷媒回路
２１    空調用圧縮機
２３    中間熱交換器
２３ａ  冷房時空調用冷媒入口（第２空調用冷媒入口）
２３ｂ  冷房時空調用冷媒出口（第２空調用冷媒出口）
２３ｃ  給湯用冷媒入口（第２給湯用冷媒入口）
２３ｄ  給湯用冷媒出口（第２給湯用冷媒出口）
２４    空調用熱源側熱交換器
２４ａ  冷房時空調用冷媒入口（第１空調用冷媒入口）
２４ｂ  冷房時空調用冷媒出口（第１空調用冷媒出口）
２７    空調用膨張弁（空調用冷媒遮断手段）
３５ａ，３５ｂ  開閉弁（空調熱交換器用開閉弁）
３５ｃ  第１制御弁（空調熱交換器用制御弁）
３５ｄ  第２制御弁（空調熱交換器用制御弁）
４１    給湯用圧縮機
４３    給湯用膨張弁（給湯用冷媒遮断手段）
４４    給湯用熱源側熱交換器
４４ａ  給湯用冷媒入口（第１給湯用冷媒入口）
４４ｂ  給湯用冷媒出口（第１給湯用冷媒出口）
４９ａ  第３制御弁（給湯熱交換器用制御弁）
４９ｂ，４９ｄ  開閉弁（給湯熱交換器用開閉弁）
４９ｃ  第４制御弁（給湯熱交換器用制御弁）
１００  空調給湯システム
ＴＨ９、ＴＨ１０、ＴＨ２２、ＴＨ２３  温度センサ（空調用温度測定手段）
ＴＨ１３、ＴＨ１４、ＴＨ１５、ＴＨ１６  温度センサ（給湯用温度測定手段）
ＴＨ１９  温度センサ（外気温度測定手段）
【図１】
2012114462.tif 000003
【図２】
2012114462.tif 000004
【図３】
2012114462.tif 000005
【図４】
2012114462.tif 000006
【図５】
2012114462.tif 000007
【図６】
2012114462.tif 000008
【図７】
2012114462.tif 000009
【図８】
2012114462.tif 000010
【国際調査報告】
2012114462.tif 000011
2012114462.tif 000012
2012114462.tif 000013
2012114462.tif 000014